(57)【要約】【課題】  携帯端末の情報表示画面の解像度に応じて、最適な大きさの画像を表示すること。【解決手段】  情報表示画面に表示する表示画像を作成する際に使用されるシンボル画像のデータを記憶する端末側シンボル画像データ記憶手段（ＫＣ２）と、前記サーバに対し、情報表示画面の解像度関連情報を送信するシンボル画像データ送信要求情報送信手段（ＫＣ１０Ｂ）とを備えた携帯端末と、携帯端末の情報表示画面の解像度に応じた複数のシンボル画像データを記憶するサーバ側シンボル画像データ記憶手段と、受信した解像度関連情報に基づいて、携帯端末に送信するシンボル画像データを判別する端末解像度判別手段と、前記解像度に応じたシンボル画像データを送信するシンボル画像データ送信手段とを備えたサーバとを有する画像データ送受信システム。【選択図】      図２
2005128801.tif 000002
【特許請求の範囲】
【請求項１】
下記の構成要件（Ａ１）〜（Ａ５）を備えた携帯端末と、下記の構成要件（Ｂ１）〜（Ｂ４）を備えたサーバと、を備えたことを特徴とする画像データ送受信システム、
（Ａ１）情報が表示される情報表示画面、
（Ａ２）前記情報表示画面の解像度に関連する解像度関連情報を記憶する解像度関連情報記憶手段、
（Ａ３）前記情報表示画面に表示する表示画像を作成する際に使用され且つ、前記表示画像の一部を形成する特定の図形であるシンボル画像のシンボル画像データを記憶する端末側シンボル画像データ記憶手段、
（Ａ４）前記サーバに対し、前記サーバが記憶する前記シンボル画像データを送信するように要求するシンボル画像データ送信要求情報と、前記解像度関連情報とを送信するシンボル画像データ送信要求情報送信手段、
（Ａ５）前記サーバから送信された前記シンボル画像データを受信するシンボル画像データ受信手段、
（Ｂ１）前記携帯端末の前記情報表示画面の解像度に応じた複数の前記シンボル画像データを記憶するサーバ側シンボル画像データ記憶手段、
（Ｂ２）前記携帯端末から送信された前記シンボル画像データ送信要求情報及び解像度関連情報を受信するシンボル画像データ送信要求情報受信手段、
（Ｂ３）受信した前記解像度関連情報に基づいて、前記携帯端末に送信するシンボル画像データを判別する端末解像度判別手段、
（Ｂ４）前記端末解像度判別手段によって判別された前記携帯端末の解像度に応じたシンボル画像データを送信するシンボル画像データ送信手段。
【請求項２】
下記の構成要件（Ａ６）〜（Ａ１０）を備えた前記携帯端末と、下記の構成要件（Ｂ５）〜（Ｂ７）を備えた前記サーバと、を備えたことを特徴とする請求項１記載の画像データ送受信システム、
（Ａ６）前記端末側シンボル画像データ記憶手段に記憶された前記シンボル画像データの識別情報である端末側画像データ識別情報を記憶する端末側画像データ識別情報記憶手段、
（Ａ７）前記情報表示画面に表示する画像を作成する前に、前記サーバに対して、前記サーバが記憶する前記シンボル画像データの識別情報であるサーバ側画像データ識別情報を送信するように要求するサーバ側画像データ識別情報送信要求情報を送信する識別情報送信要求情報送信手段、
（Ａ８）前記サーバから送信された前記サーバ側画像データ識別情報を受信するサーバ側画像データ識別情報受信手段、
（Ａ９）受信したサーバ側画像データ識別情報と、前記端末側画像データ識別情報とに基づいて、前記携帯端末に記憶されたシンボル画像データが最新であるか否かを判別するシンボル画像データ最新判別手段、
（Ａ１０）前記携帯端末に記憶された前記シンボル画像データが最新でない場合に、前記サーバに対し、前記シンボル画像データ送信要求情報と、前記解像度関連情報とを送信する前記シンボル画像データ送信要求情報送信手段、
（Ｂ５）前記サーバ側シンボル画像データ記憶手段に記憶されたシンボル画像データの識別情報であるサーバ側画像データ識別情報を記憶するサーバ側画像データ識別情報記憶手段、
（Ｂ６）前記携帯端末から送信されたサーバ側画像データ識別情報送信要求情報を受信するサーバ側画像データ識別情報送信要求情報受信手段、
（Ｂ７）サーバ側画像データ識別情報送信要求情報を受信した場合に、前記サーバ側画像データ識別情報を送信するサーバ側画像データ識別情報送信手段。
【請求項３】
下記の構成要件（Ａ６），（Ａ１１），（Ａ１２）を備えた前記携帯端末と、下記の構成要件（Ｂ５），（Ｂ８）〜（Ｂ１１）を備えた前記サーバと、を備えたことを特徴とする請求項１記載の画像データ送受信システム、
（Ａ６）前記端末側シンボル画像データ記憶手段に記憶されたシンボル画像データの識別情報である端末側画像データ識別情報を記憶する端末側画像データ識別情報記憶手段、
（Ａ１１）前記情報表示画面に表示する画像を作成する前に、前記サーバに対して、前記シンボル画像データ送信要求情報と、前記解像度関連情報と、前記端末側画像データ識別情報とを送信する前記シンボル画像データ送信要求情報送信手段、
（Ａ１２）前記端末側シンボル画像データ記憶手段に記憶されたシンボル画像データが最新であることを示すデータ最新告知情報を受信するデータ最新告知情報受信手段、
（Ｂ５）前記サーバ側シンボル画像データ記憶手段に記憶されたシンボル画像データの識別情報であるサーバ側画像データ識別情報を記憶するサーバ側画像データ識別情報記憶手段、
（Ｂ８）前記携帯端末から送信された前記シンボル画像データ送信要求情報と、前記解像度関連情報と、前記端末側画像データ識別情報とを受信する前記シンボル画像データ送信要求情報受信手段、
（Ｂ９）受信した前記端末側画像データ識別情報と、前記サーバ側画像データ識別情報とに基づいて、前記携帯端末に記憶されたシンボル画像データが最新であるか否かを判別するシンボル画像データ最新判別手段、
（Ｂ１０）前記携帯端末に記憶されたシンボル画像データが最新である場合に、前記携帯端末に対して、前記データ最新告知情報を送信し且つ前記サーバに記憶された前記シンボル画像データを送信しないデータ最新告知情報送信手段、
（Ｂ１１）前記携帯端末に記憶されたシンボル画像データが最新ではない場合に、受信した前記解像度関連情報に基づいて、送信するシンボル画像データを判別する前記端末解像度判別手段。
【請求項４】
下記の構成要件（Ｂ１２）を備えた前記サーバと、下記の構成要件（Ａ１３），（Ａ１４）を備えた前記携帯端末を備えたことを特徴とする請求項１ないし３のいずれか記載の画像データ送受信システム、
（Ｂ１２）前記シンボル画像を特定するシンボル画像特定情報と、特定された前記シンボル画像を配置する位置を特定する位置情報とを有する地図情報を前記携帯端末に送信する地図情報送信手段、
（Ａ１３）前記サーバから送信された前記地図情報を受信する地図情報受信手段、
（Ａ１４）前記地図情報と、地図記号画像としての前記シンボル画像の前記シンボル画像データとに基づいて、前記情報表示画面に表示する前記表示画像としての地図画像を作成する地図画像作成手段。
【請求項５】
下記の構成要件（Ｃ１）〜（Ｃ４）を備えた携帯端末と、下記の構成要件（Ｄ１）〜（Ｄ５）を備えたサーバと、を備えたことを特徴とする画像データ送受信システム、
（Ｃ１）情報が表示される情報表示画面、
（Ｃ２）前記情報表示画面の解像度に関連する解像度関連情報を記憶する解像度関連情報記憶手段、
（Ｃ３）前記サーバに対し、前記情報表示画面に表示する表示画像を送信するように要求する表示画像データ送信要求情報と、前記解像度関連情報とを送信する表示画像データ送信要求情報送信手段、
（Ｃ４）前記サーバから送信された表示画像データを受信する表示画像データ受信手段、
（Ｄ１）前記表示画像を作成する際に使用され且つ、前記表示画像の一部を形成する特定の図形であるシンボル画像のシンボル画像データであって、前記携帯端末の前記情報表示画面の解像度に応じた複数の前記シンボル画像データを記憶するサーバ側シンボル画像データ記憶手段、
（Ｄ２）前記携帯端末から送信された前記表示画像データ送信要求情報及び解像度関連情報を受信する表示画像データ送信要求情報受信手段、
（Ｄ３）受信した前記解像度関連情報に基づいて、前記情報表示画面の解像度に応じた前記シンボル画像データを判別する端末解像度判別手段、
（Ｄ４）前記端末解像度判別手段によって判別された前記情報表示画面の解像度に応じた前記シンボル画像データを使用して、前記携帯端末の前記情報表示画面に表示される前記表示画像を作成する表示画像作成手段、
（Ｄ５）作成した前記表示画像のデータである表示画像データを送信する表示画像データ送信手段。
【請求項６】
情報が表示される情報表示画面と、
前記情報表示画面の解像度に関連する解像度関連情報を記憶する解像度関連情報記憶手段と、
前記情報表示画面に表示する表示画像を作成する際に使用され且つ、前記表示画像の一部を形成する特定の図形であるシンボル画像のシンボル画像データを記憶する端末側シンボル画像データ記憶手段と、
サーバに対し、前記サーバが記憶する前記シンボル画像データを送信するように要求するシンボル画像データ送信要求情報と、前記解像度関連情報とを送信するシンボル画像データ送信要求情報送信手段と、
前記サーバから送信された前記シンボル画像データを受信するシンボル画像データ受信手段と、
を有する携帯端末との間で前記画像データの送受信が可能なサーバにおいて、下記の構成要件（Ｂ１）〜（Ｂ４）を備えたことを特徴とする前記サーバ、
（Ｂ１）前記携帯端末の前記情報表示画面の解像度に応じた複数の前記シンボル画像データを記憶するサーバ側シンボル画像データ記憶手段、
（Ｂ２）前記携帯端末から送信された前記シンボル画像データ送信要求情報及び解像度関連情報を受信するシンボル画像データ送信要求情報受信手段、
（Ｂ３）受信した前記解像度関連情報に基づいて、前記携帯端末に送信するシンボル画像データを判別する端末解像度判別手段、
（Ｂ４）前記端末解像度判別手段によって判別された前記携帯端末の解像度に応じたシンボル画像データを送信するシンボル画像データ送信手段。
【請求項７】
前記端末側シンボル画像データ記憶手段に記憶された前記シンボル画像データの識別情報である端末側画像データ識別情報を記憶する端末側画像データ識別情報記憶手段と、
前記情報表示画面に表示する画像を作成する前に、前記サーバに対して、前記サーバが記憶する前記シンボル画像データの識別情報であるサーバ側画像データ識別情報を送信するように要求するサーバ側画像データ識別情報送信要求情報を送信する識別情報送信要求情報送信手段と、
前記サーバから送信された前記サーバ側画像データ識別情報を受信するサーバ側画像データ識別情報受信手段と、
受信したサーバ側画像データ識別情報と、前記端末側画像データ識別情報とに基づいて、前記携帯端末に記憶されたシンボル画像データが最新であるか否かを判別するシンボル画像データ最新判別手段と、
前記携帯端末に記憶された前記シンボル画像データが最新でない場合に、前記サーバに対し、前記シンボル画像データ送信要求情報と、前記解像度関連情報とを送信する前記シンボル画像データ送信要求情報送信手段と、
を有する前記携帯端末との間で画像データの送受信が可能な請求項６記載のサーバにおいて、下記の構成要件（Ｂ５）〜（Ｂ７）を備えたことを特徴とする前記サーバ、
（Ｂ５）前記サーバ側シンボル画像データ記憶手段に記憶されたシンボル画像データの識別情報であるサーバ側画像データ識別情報を記憶するサーバ側画像データ識別情報記憶手段、
（Ｂ６）前記携帯端末から送信されたサーバ側画像データ識別情報送信要求情報を受信するサーバ側画像データ識別情報送信要求情報受信手段、
（Ｂ７）サーバ側画像データ識別情報送信要求情報を受信した場合に、前記サーバ側画像データ識別情報を送信するサーバ側画像データ識別情報送信手段。
【請求項８】
前記端末側シンボル画像データ記憶手段に記憶されたシンボル画像データの識別情報である端末側画像データ識別情報を記憶する端末側画像データ識別情報記憶手段と、
前記情報表示画面に表示する画像を作成する前に、前記サーバに対して、前記シンボル画像データ送信要求情報と、前記解像度関連情報と、前記端末側画像データ識別情報とを送信する前記シンボル画像データ送信要求情報送信手段と、
前記端末側シンボル画像データ記憶手段に記憶されたシンボル画像データが最新であることを示すデータ最新告知情報を受信するデータ最新告知情報受信手段と、
を有する前記携帯端末との間で画像データの送受信が可能な請求項６記載の前記サーバにおいて、下記の構成要件（Ｂ５），（Ｂ８）〜（Ｂ１１）を備えたことを特徴とする前記サーバ、
（Ｂ５）前記サーバ側シンボル画像データ記憶手段に記憶されたシンボル画像データの識別情報であるサーバ側画像データ識別情報を記憶するサーバ側画像データ識別情報記憶手段、
（Ｂ８）前記携帯端末から送信された前記シンボル画像データ送信要求情報と、前記解像度関連情報と、前記端末側画像データ識別情報とを受信する前記シンボル画像データ送信要求情報受信手段、
（Ｂ９）受信した前記端末側画像データ識別情報と、前記サーバ側画像データ識別情報とに基づいて、前記携帯端末に記憶されたシンボル画像データが最新であるか否かを判別するシンボル画像データ最新判別手段、
（Ｂ１０）前記携帯端末に記憶されたシンボル画像データが最新である場合に、前記携帯端末に対して、前記データ最新告知情報を送信し且つ前記サーバに記憶された前記シンボル画像データを送信しないデータ最新告知情報送信手段、
（Ｂ１１）前記携帯端末に記憶されたシンボル画像データが最新ではない場合に、受信した前記解像度関連情報に基づいて、送信するシンボル画像データを判別する前記端末解像度判別手段。
【請求項９】
携帯端末の情報表示画面に表示する表示画像を作成する際に使用され且つ、前記表示画像の一部を形成する特定の図形であるシンボル画像のシンボル画像データを、前記情報表示画面の解像度に応じて記憶するサーバ側シンボル画像データ記憶手段と、
サーバが記憶する前記シンボル画像データを送信するように要求するシンボル画像データ送信要求情報及び前記情報表示画面の解像度に関連する解像度関連情報を受信するシンボル画像データ送信要求情報受信手段と、
受信した前記解像度関連情報に基づいて、前記携帯端末に送信するシンボル画像データを判別する端末解像度判別手段と、
前記端末解像度判別手段によって判別された前記携帯端末の解像度に応じたシンボル画像データを送信するシンボル画像データ送信手段と、
を有するサーバとの間で前記画像データの送受信が可能な携帯端末において、下記の構成要件（Ａ１）〜（Ａ５）を備えたことを特徴とする前記携帯端末、
（Ａ１）前記情報表示画面、
（Ａ２）前記解像度関連情報を記憶する解像度関連情報記憶手段、
（Ａ３）前記シンボル画像データを記憶する端末側シンボル画像データ記憶手段、
（Ａ４）前記シンボル画像データ送信要求情報と、前記解像度関連情報とを送信するシンボル画像データ送信要求情報送信手段、
（Ａ５）前記サーバから送信された前記シンボル画像データを受信するシンボル画像データ受信手段。
【請求項１０】
前記サーバ側シンボル画像データ記憶手段に記憶されたシンボル画像データの識別情報であるサーバ側画像データ識別情報を記憶するサーバ側画像データ識別情報記憶手段と、
前記携帯端末から送信された、前記サーバ側画像データ識別情報の送信を要求するサーバ側画像データ識別情報送信要求情報を受信するサーバ側画像データ識別情報送信要求情報受信手段と、
前記サーバ側画像データ識別情報送信要求情報を受信した場合に、前記サーバ側画像データ識別情報を送信するサーバ側画像データ識別情報送信手段と、
を有する前記サーバとの間で前記画像データの送受信が可能な請求項９記載の携帯端末において、下記の構成要件（Ａ６）〜（Ａ１０）を備えたことを特徴とする前記携帯端末、
（Ａ６）前記端末側シンボル画像データ記憶手段に記憶された前記シンボル画像データの識別情報である端末側画像データ識別情報を記憶する端末側画像データ識別情報記憶手段、
（Ａ７）前記情報表示画面に表示する画像を作成する前に、前記サーバに対して、前記サーバ側画像データ識別情報送信要求情報を送信する識別情報送信要求情報送信手段、
（Ａ８）前記サーバから送信された前記サーバ側画像データ識別情報を受信するサーバ側画像データ識別情報受信手段、
（Ａ９）受信した前記サーバ側画像データ識別情報と、前記端末側画像データ識別情報とに基づいて、前記携帯端末に記憶されたシンボル画像データが最新であるか否かを判別するシンボル画像データ最新判別手段、
（Ａ１０）前記携帯端末に記憶された前記シンボル画像データが最新でない場合に、前記サーバに対し、前記シンボル画像データ送信要求情報と、前記解像度関連情報と、を送信する前記シンボル画像データ送信要求情報送信手段。
【請求項１１】
前記サーバ側シンボル画像データ記憶手段に記憶されたシンボル画像データの識別情報であるサーバ側画像データ識別情報を記憶するサーバ側画像データ識別情報記憶手段と、
前記携帯端末から送信された前記シンボル画像データ送信要求情報と、前記解像度関連情報と、前記端末側シンボル画像データ記憶手段に記憶されたシンボル画像データの識別情報である端末側画像データ識別情報とを受信する前記シンボル画像データ送信要求情報受信手段、
受信した前記端末側画像データ識別情報と、前記サーバ側画像データ識別情報とに基づいて、前記携帯端末に記憶されたシンボル画像データが最新であるか否かを判別するシンボル画像データ最新判別手段と、
前記携帯端末に記憶されたシンボル画像データが最新である場合に、前記携帯端末に対して、前記端末側シンボル画像データ記憶手段に記憶されたシンボル画像データが最新であることを示すデータ最新告知情報を送信し且つ前記サーバに記憶された前記シンボル画像データを送信しないデータ最新告知情報送信手段と、
前記携帯端末に記憶されたシンボル画像データが最新ではない場合に、受信した前記解像度関連情報に基づいて、送信するシンボル画像データを判別する前記端末解像度判別手段と、
を有する前記サーバとの間で画像データの送受信が可能な請求項９記載の前記携帯端末において、下記の構成要件（Ａ６），（Ａ１１），（Ａ１２）を備えたことを特徴とする前記携帯端末、
（Ａ６）前記端末側画像データ識別情報を記憶する端末側画像データ識別情報記憶手段、
（Ａ１１）前記情報表示画面に表示する画像を作成する前に、前記サーバに対して、前記シンボル画像データ送信要求情報と、前記解像度関連情報と、前記端末側画像データ識別情報とを送信する前記シンボル画像データ送信要求情報送信手段、
（Ａ１２）前記端末側シンボル画像データ記憶手段に記憶されたシンボル画像データが最新であることを示すデータ最新告知情報を受信するデータ最新告知情報受信手段。
【請求項１２】
情報が表示される情報表示画面と、
前記情報表示画面の解像度に関連する解像度関連情報を記憶する解像度関連情報記憶手段と、
サーバに対し、前記情報表示画面に表示する表示画像を送信するように要求する表示画像データ送信要求情報と、前記解像度関連情報とを送信する表示画像データ送信要求情報送信手段と、
前記サーバから送信された表示画像データを受信する表示画像データ受信手段と、
を備えた携帯端末と画像データの送受信が可能な前記サーバにおいて、下記の構成要件（Ｄ１）〜（Ｄ５）を備えたことを特徴とするサーバ、
（Ｄ１）前記表示画像を作成する際に使用され且つ、前記表示画像の一部を形成する特定の図形であるシンボル画像のシンボル画像データであって、前記携帯端末の前記情報表示画面の解像度に応じた複数の前記シンボル画像データを記憶するサーバ側シンボル画像データ記憶手段、
（Ｄ２）前記携帯端末から送信された前記表示画像データ送信要求情報及び解像度関連情報を受信する表示画像データ送信要求情報受信手段、
（Ｄ３）受信した前記解像度関連情報に基づいて、前記情報表示画面の解像度に応じた前記シンボル画像データを判別する端末解像度判別手段、
（Ｄ４）前記端末解像度判別手段によって判別された前記情報表示画面の解像度に応じた前記シンボル画像データを使用して、前記携帯端末の前記情報表示画面に表示される前記表示画像を作成する表示画像作成手段、
（Ｄ５）作成した前記表示画像のデータである表示画像データを送信する表示画像データ送信手段。
【請求項１３】
携帯端末の情報表示画面に表示する表示画像を作成する際に使用され且つ、前記表示画像の一部を形成する特定の図形であるシンボル画像のシンボル画像データであって、前記携帯端末の前記情報表示画面の解像度に応じた複数の前記シンボル画像データを記憶するサーバ側シンボル画像データ記憶手段と、
前記情報表示画面に表示する表示画像を送信するように要求する表示画像データ送信要求情報及び前記情報表示画面の解像度に関連する解像度関連情報を受信する表示画像データ送信要求情報受信手段と、
受信した前記解像度関連情報に基づいて、前記情報表示画面の解像度に応じた前記シンボル画像データを判別する端末解像度判別手段と、
前記端末解像度判別手段によって判別された前記情報表示画面の解像度に応じた前記シンボル画像データを使用して、前記携帯端末の前記情報表示画面に表示される前記表示画像を作成する表示画像作成手段と、
作成した前記表示画像のデータである表示画像データを送信する表示画像データ送信手段と、
を有するサーバとの間で画像データの送受信が可能な前記携帯端末において、下記の構成要件（Ｃ１）〜（Ｃ４）を備えたことを特徴とする携帯端末、
（Ｃ１）情報が表示される情報表示画面、
（Ｃ２）前記情報表示画面の解像度に関連する解像度関連情報を記憶する解像度関連情報記憶手段、
（Ｃ３）前記サーバに対し、前記情報表示画面に表示する表示画像を送信するように要求する表示画像データ送信要求情報と、前記解像度関連情報とを送信する表示画像データ送信要求情報送信手段、
（Ｃ４）前記サーバから送信された表示画像データを受信する表示画像データ受信手段。
【請求項１４】
情報が表示される情報表示画面と、
前記情報表示画面の解像度に関連する解像度関連情報を記憶する解像度関連情報記憶手段と、
前記情報表示画面に表示する表示画像を作成する際に使用され且つ、前記表示画像の一部を形成する特定の図形であるシンボル画像のシンボル画像データを記憶する端末側シンボル画像データ記憶手段と、
サーバに対し、前記サーバが記憶する前記シンボル画像データを送信するように要求するシンボル画像データ送信要求情報と、前記解像度関連情報とを送信するシンボル画像データ送信要求情報送信手段と、
前記サーバから送信された前記シンボル画像データを受信するシンボル画像データ受信手段と、
を有する携帯端末との間で前記画像データの送受信が可能なサーバを構成するコンピュータを、
前記携帯端末の前記情報表示画面の解像度に応じた複数の前記シンボル画像データを記憶するサーバ側シンボル画像データ記憶手段、
前記携帯端末から送信された前記シンボル画像データ送信要求情報及び解像度関連情報を受信するシンボル画像データ送信要求情報受信手段、
受信した前記解像度関連情報に基づいて、前記携帯端末に送信するシンボル画像データを判別する端末解像度判別手段、
前記端末解像度判別手段によって判別された前記携帯端末の解像度に応じたシンボル画像データを送信するシンボル画像データ送信手段、
として機能させるためのプログラム。
【請求項１５】
前記端末側シンボル画像データ記憶手段に記憶された前記シンボル画像データの識別情報である端末側画像データ識別情報を記憶する端末側画像データ識別情報記憶手段と、
前記情報表示画面に表示する画像を作成する前に、前記サーバに対して、前記サーバが記憶する前記シンボル画像データの識別情報であるサーバ側画像データ識別情報を送信するように要求するサーバ側画像データ識別情報送信要求情報を送信する識別情報送信要求情報送信手段と、
前記サーバから送信された前記サーバ側画像データ識別情報を受信するサーバ側画像データ識別情報受信手段と、
受信したサーバ側画像データ識別情報と、前記端末側画像データ識別情報とに基づいて、前記携帯端末に記憶されたシンボル画像データが最新であるか否かを判別するシンボル画像データ最新判別手段と、
前記携帯端末に記憶された前記シンボル画像データが最新でない場合に、前記サーバに対し、前記シンボル画像データ送信要求情報と、前記解像度関連情報とを送信する前記シンボル画像データ送信要求情報送信手段と、
を有する前記携帯端末との間で画像データの送受信が可能な請求項１４記載のサーバを構成するコンピュータを、
前記サーバ側シンボル画像データ記憶手段に記憶されたシンボル画像データの識別情報であるサーバ側画像データ識別情報を記憶するサーバ側画像データ識別情報記憶手段、
前記携帯端末から送信されたサーバ側画像データ識別情報送信要求情報を受信するサーバ側画像データ識別情報送信要求情報受信手段、
サーバ側画像データ識別情報送信要求情報を受信した場合に、前記サーバ側画像データ識別情報を送信するサーバ側画像データ識別情報送信手段、
として機能させるための請求項１４記載のプログラム。
【請求項１６】
前記端末側シンボル画像データ記憶手段に記憶されたシンボル画像データの識別情報である端末側画像データ識別情報を記憶する端末側画像データ識別情報記憶手段と、
前記情報表示画面に表示する画像を作成する前に、前記サーバに対して、前記シンボル画像データ送信要求情報と、前記解像度関連情報と、前記端末側画像データ識別情報とを送信する前記シンボル画像データ送信要求情報送信手段と、
前記端末側シンボル画像データ記憶手段に記憶されたシンボル画像データが最新であることを示すデータ最新告知情報を受信するデータ最新告知情報受信手段と、
を有する前記携帯端末との間で画像データの送受信が可能な請求項１４記載の前記サーバを構成するコンピュータを、
前記サーバ側シンボル画像データ記憶手段に記憶されたシンボル画像データの識別情報であるサーバ側画像データ識別情報を記憶するサーバ側画像データ識別情報記憶手段、
前記携帯端末から送信された前記シンボル画像データ送信要求情報と、前記解像度関連情報と、前記端末側画像データ識別情報とを受信する前記シンボル画像データ送信要求情報受信手段、
受信した前記端末側画像データ識別情報と、前記サーバ側画像データ識別情報とに基づいて、前記携帯端末に記憶されたシンボル画像データが最新であるか否かを判別するシンボル画像データ最新判別手段、
前記携帯端末に記憶されたシンボル画像データが最新である場合に、前記携帯端末に対して、前記データ最新告知情報を送信し且つ前記サーバに記憶された前記シンボル画像データを送信しないデータ最新告知情報送信手段、
前記携帯端末に記憶されたシンボル画像データが最新ではない場合に、受信した前記解像度関連情報に基づいて、送信するシンボル画像データを判別する前記端末解像度判別手段、
として機能させるための請求項１４記載のプログラム。
【請求項１７】
携帯端末の情報表示画面に表示する表示画像を作成する際に使用され且つ、前記表示画像の一部を形成する特定の図形であるシンボル画像のシンボル画像データを、前記情報表示画面の解像度に応じて記憶するサーバ側シンボル画像データ記憶手段と、
サーバが記憶する前記シンボル画像データを送信するように要求するシンボル画像データ送信要求情報及び前記情報表示画面の解像度に関連する解像度関連情報を受信するシンボル画像データ送信要求情報受信手段と、
受信した前記解像度関連情報に基づいて、前記携帯端末に送信するシンボル画像データを判別する端末解像度判別手段と、
前記端末解像度判別手段によって判別された前記携帯端末の解像度に応じたシンボル画像データを送信するシンボル画像データ送信手段と、
を有するサーバとの間で前記画像データの送受信が可能な携帯端末を構成するコンピュータを、
前記解像度関連情報を記憶する解像度関連情報記憶手段、
前記前記シンボル画像データを記憶する端末側シンボル画像データ記憶手段、
前記シンボル画像データ送信要求情報と、前記解像度関連情報とを送信するシンボル画像データ送信要求情報送信手段、
前記サーバから送信された前記シンボル画像データを受信するシンボル画像データ受信手段、
として機能させるためのプログラム。
【請求項１８】
前記サーバ側シンボル画像データ記憶手段に記憶されたシンボル画像データの識別情報であるサーバ側画像データ識別情報を記憶するサーバ側画像データ識別情報記憶手段と、
前記携帯端末から送信された、前記サーバ側画像データ識別情報の送信を要求するサーバ側画像データ識別情報送信要求情報を受信するサーバ側画像データ識別情報送信要求情報受信手段と、
前記サーバ側画像データ識別情報送信要求情報を受信した場合に、前記サーバ側画像データ識別情報を送信するサーバ側画像データ識別情報送信手段と、
を有する前記サーバとの間で前記画像データの送受信が可能な請求項１７記載の携帯端末を構成するコンピュータを、
前記端末側シンボル画像データ記憶手段に記憶された前記シンボル画像データの識別情報である端末側画像データ識別情報を記憶する端末側画像データ識別情報記憶手段、
前記情報表示画面に表示する画像を作成する前に、前記サーバに対して、前記サーバ側画像データ識別情報送信要求情報を送信する識別情報送信要求情報送信手段、
前記サーバから送信された前記サーバ側画像データ識別情報を受信するサーバ側画像データ識別情報受信手段、
受信した前記サーバ側画像データ識別情報と、前記端末側画像データ識別情報とに基づいて、前記携帯端末に記憶されたシンボル画像データが最新であるか否かを判別するシンボル画像データ最新判別手段、
前記携帯端末に記憶された前記シンボル画像データが最新でない場合に、前記サーバに対し、前記シンボル画像データ送信要求情報と、前記解像度関連情報と、を送信する前記シンボル画像データ送信要求情報送信手段、
として機能させるための請求項１７記載のプログラム。
【請求項１９】
前記サーバ側シンボル画像データ記憶手段に記憶されたシンボル画像データの識別情報であるサーバ側画像データ識別情報を記憶するサーバ側画像データ識別情報記憶手段と、
前記携帯端末から送信された前記シンボル画像データ送信要求情報と、前記解像度関連情報と、前記端末側シンボル画像データ記憶手段に記憶されたシンボル画像データの識別情報である端末側画像データ識別情報とを受信する前記シンボル画像データ送信要求情報受信手段、
受信した前記端末側画像データ識別情報と、前記サーバ側画像データ識別情報とに基づいて、前記携帯端末に記憶されたシンボル画像データが最新であるか否かを判別するシンボル画像データ最新判別手段と、
前記携帯端末に記憶されたシンボル画像データが最新である場合に、前記携帯端末に対して、前記端末側シンボル画像データ記憶手段に記憶されたシンボル画像データが最新であることを示すデータ最新告知情報を送信し且つ前記サーバに記憶された前記シンボル画像データを送信しないデータ最新告知情報送信手段と、
前記携帯端末に記憶されたシンボル画像データが最新ではない場合に、受信した前記解像度関連情報に基づいて、送信するシンボル画像データを判別する前記端末解像度判別手段と、
を有する前記サーバとの間で画像データの送受信が可能な請求項１７記載の前記携帯端末を構成するコンピュータを、
前記端末側画像データ識別情報を記憶する端末側画像データ識別情報記憶手段、
前記情報表示画面に表示する画像を作成する前に、前記サーバに対して、前記シンボル画像データ送信要求情報と、前記解像度関連情報と、前記端末側画像データ識別情報とを送信する前記シンボル画像データ送信要求情報送信手段、
前記端末側シンボル画像データ記憶手段に記憶されたシンボル画像データが最新であることを示すデータ最新告知情報を受信するデータ最新告知情報受信手段、
として機能させるための請求項１７記載のプログラム。
【請求項２０】
情報が表示される情報表示画面と、
前記情報表示画面の解像度に関連する解像度関連情報を記憶する解像度関連情報記憶手段と、
サーバに対し、前記情報表示画面に表示する表示画像を送信するように要求する表示画像データ送信要求情報と、前記解像度関連情報とを送信する表示画像データ送信要求情報送信手段と、
前記サーバから送信された表示画像データを受信する表示画像データ受信手段と、
を備えた携帯端末と画像データの送受信が可能な前記サーバを構成するコンピュータを、
前記表示画像を作成する際に使用され且つ、前記表示画像の一部を形成する特定の図形であるシンボル画像のシンボル画像データであって、前記携帯端末の前記情報表示画面の解像度に応じた複数の前記シンボル画像データを記憶するサーバ側シンボル画像データ記憶手段、
前記携帯端末から送信された前記表示画像データ送信要求情報及び解像度関連情報を受信する表示画像データ送信要求情報受信手段、
受信した前記解像度関連情報に基づいて、前記情報表示画面の解像度に応じた前記シンボル画像データを判別する端末解像度判別手段、
前記端末解像度判別手段によって判別された前記情報表示画面の解像度に応じた前記シンボル画像データを使用して、前記携帯端末の前記情報表示画面に表示される前記表示画像を作成する表示画像作成手段、
作成した前記表示画像のデータである表示画像データを送信する表示画像データ送信手段、
として機能させるためのプログラム。
【請求項２１】
携帯端末の情報表示画面に表示する表示画像を作成する際に使用され且つ、前記表示画像の一部を形成する特定の図形であるシンボル画像のシンボル画像データであって、前記携帯端末の前記情報表示画面の解像度に応じた複数の前記シンボル画像データを記憶するサーバ側シンボル画像データ記憶手段と、
前記情報表示画面に表示する表示画像を送信するように要求する表示画像データ送信要求情報及び前記情報表示画面の解像度に関連する解像度関連情報を受信する表示画像データ送信要求情報受信手段と、
受信した前記解像度関連情報に基づいて、前記情報表示画面の解像度に応じた前記シンボル画像データを判別する端末解像度判別手段と、
前記端末解像度判別手段によって判別された前記情報表示画面の解像度に応じた前記シンボル画像データを使用して、前記携帯端末の前記情報表示画面に表示される前記表示画像を作成する表示画像作成手段と、
作成した前記表示画像のデータである表示画像データを送信する表示画像データ送信手段と、
を有するサーバとの間で画像データの送受信が可能な前記携帯端末を構成するコンピュータを、
情報が表示される情報表示画面の解像度に関連する解像度関連情報を記憶する解像度関連情報記憶手段、
前記サーバに対し、前記情報表示画面に表示する表示画像を送信するように要求する表示画像データ送信要求情報と、前記解像度関連情報とを送信する表示画像データ送信要求情報送信手段、
前記サーバから送信された表示画像データを受信する表示画像データ受信手段、
として機能させるためのプログラム。
【請求項２２】
請求項１４ないし２１のいずれか記載のプログラムを記録したコンピュータ読取り可能な記録媒体。
【発明の詳細な説明】
【技術分野】
【０００１】
本発明は、ユーザが携帯可能な携帯電話、ＰＤＡ等の携帯端末、前記携帯端末との間で回線を介して画像データの送受信が可能なサーバ、前記携帯端末及びサーバを有する画像データ送受信システム、前記携帯端末またはサーバを構成するコンピュータを機能させるためのプログラム及び前記プログラムを記録した記録媒体に関する。特に、前記携帯端末の情報表示画面に表示される表示画像を作成する際に使用され且つ、前記表示画像の一部を形成する特定の図形であるシンボル画像（地図記号画像やアイコン画像等）のシンボル画像データや表示画像のデータを送受信可能な画像データ送受信システム、前記画像データ送受信システムで使用される携帯端末及びサーバ、前記携帯端末またはサーバを構成するコンピュータを機能させるためのプログラム及び前記プログラムを記録した記録媒体に関する。
【背景技術】
【０００２】
近年、携帯電話等の携帯端末において、ユーザの入力に応じた地図画像を表示したり、前記地図を利用してナビゲーションを行うことが行われている。
前記携帯端末において地図画像を表示する技術として、特許文献１（特開２００１−５７６３号公報）記載の技術が従来公知である。
【０００３】
（特許文献１（特開２００１−５７６３号公報）記載の技術）
特許文献１には、情報表示画面の小さな携帯電話機において、情報表示画面に表示する地図画像を作成する際に、道路や線路等を中心に沿った線により地図画像上で表示したり、ランドマーク（高層建築物等の目標物）等を属性種別毎にアイコン（シンボル画像）で表示することにより、ユーザが見やすい地図画像を作成する技術が記載されている。
【０００４】
【特許文献１】特開２００１−５７６３号公報（段落番号「００２９」〜「００３５」、第５図）
【発明の開示】
【発明が解決しようとする課題】
【０００５】
近年、画像表示装置の技術の進展に伴い、携帯端末の情報表示画面の解像度が上がっている。特に、携帯電話機では、従来、解像度が１７０ドット×１２０ドット程度であったが、近年、ＱＶＧＡ（３２０ドット×２４０ドット）の解像度の情報表示画面を有する携帯電話機も登場してきており、今後さらに解像度が上がることが予想される。
しかしながら、携帯電話機等の携帯端末は、携帯端末全体のサイズがほぼ決まっているため、情報表示画面の外形寸法も従来のものと比べそれ程大きくできない。したがって、携帯端末では、情報表示画面の解像度が上昇すると、ドットピッチ（ドットの間隔）が狭くなる。
【０００６】
解像度が上昇すると、精細な画像を表示するには好都合である。しかしながら、所定のドット数（例えば、１２ドット×１２ドット）で作成されたシンボル画像を表示する場合、低解像度の表示画面では適切な大きさでシンボル画像が表示されるが、高解像度の表示画面ではドットピッチが狭いので、小さくなりすぎて、ユーザが見づらくなるという問題がある。
前記特許文献１記載の技術では、情報表示装置の解像度が異なる多種多様な携帯端末から接続されるサーバにおいて、所定のドット数のシンボル画像を配置して地図画像を作成している。したがって、サーバから送信された地図画像が携帯端末でどれくらいの大きさで表示されるかということまでは対処できず、高解像度の携帯端末では実際に表示される地図画像が見づらいという問題があった。
【０００７】
本発明は、前述の事情に鑑み、携帯端末の情報表示画面の解像度に応じて、最適な大きさの画像を表示することを第１の技術的課題とする。
【課題を解決するための手段】
【０００８】
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００９】
（本発明）
（第１発明）
前記技術的課題を解決するために第１発明の画像データ送受信システム（Ｓ）は、下記の構成要件（Ａ１）〜（Ａ５）を備えた携帯端末（１）と、下記の構成要件（Ｂ１）〜（Ｂ４）を備えたサーバ（７）と、を備えたことを特徴とする。
（Ａ１）情報が表示される情報表示画面（１１）、
（Ａ２）前記情報表示画面（１１）の解像度に関連する解像度関連情報を記憶する解像度関連情報記憶手段（ＫＣ１）、
（Ａ３）前記情報表示画面（１１）に表示する表示画像を作成する際に使用され且つ、前記表示画像の一部を形成する特定の図形であるシンボル画像のシンボル画像データを記憶する端末側シンボル画像データ記憶手段（ＫＣ２）、
（Ａ４）前記サーバ（７）に対し、前記サーバ（７）が記憶する前記シンボル画像データを送信するように要求するシンボル画像データ送信要求情報と、前記解像度関連情報とを送信するシンボル画像データ送信要求情報送信手段（ＫＣ１０Ｂ）、
（Ａ５）前記サーバ（７）から送信された前記シンボル画像データを受信するシンボル画像データ受信手段（ＫＣ１１Ｂ）、
（Ｂ１）前記携帯端末（１）の前記情報表示画面（１１）の解像度に応じた複数の前記シンボル画像データを記憶するサーバ側シンボル画像データ記憶手段（ＳＣ２Ａ）、
（Ｂ２）前記携帯端末（１）から送信された前記シンボル画像データ送信要求情報及び解像度関連情報を受信するシンボル画像データ送信要求情報受信手段（ＳＣ１Ｂ）、
（Ｂ３）受信した前記解像度関連情報に基づいて、前記携帯端末（１）に送信するシンボル画像データを判別する端末解像度判別手段（ＳＣ３）、
（Ｂ４）前記端末解像度判別手段（ＳＣ３）によって判別された前記携帯端末（１）の解像度に応じたシンボル画像データを送信するシンボル画像データ送信手段（ＳＣ５Ｂ）。
【００１０】
（第１発明の作用）
前記構成要件（Ａ１）〜（Ａ５）を備えた携帯端末（１）と、前記要件（Ｂ１）〜（Ｂ４）を備えたサーバ（７）と、を備えた第１発明の画像データ送受信システム（Ｓ）では、携帯端末（１）の解像度関連情報記憶手段（ＫＣ１）には、情報が表示される情報表示画面（１１）の解像度に関連する解像度関連情報が記憶される。また、携帯端末（１）の端末側シンボル画像データ記憶手段（ＫＣ２）には、前記情報表示画面（１１）に表示する表示画像を作成する際に使用され且つ、前記表示画像の一部を形成する特定の図形であるシンボル画像のデータが記憶される。携帯端末（１）のシンボル画像データ送信要求情報送信手段（ＫＣ１０Ｂ）は、サーバ（７）に対し、前記サーバ（７）が記憶する前記シンボル画像データを送信するように要求するシンボル画像データ送信要求情報と、前記解像度関連情報とを送信する。
【００１１】
サーバ（７）のシンボル画像データ送信要求情報受信手段（ＳＣ１Ｂ）は、前記携帯端末（１）から送信された前記シンボル画像データ送信要求情報及び解像度関連情報を受信する。サーバ（７）の端末解像度判別手段（ＳＣ３）は、受信した前記解像度関連情報に基づいて、サーバ側シンボル画像データ記憶手段（ＳＣ２Ａ）に記憶された前記携帯端末（１）の前記情報表示画面（１１）の解像度に応じた複数の前記シンボル画像データから、前記携帯端末（１）に送信するシンボル画像データを判別する。そして、シンボル画像データ送信手段（ＳＣ５Ｂ）は、前記端末解像度判別手段（ＳＣ３）によって判別された前記携帯端末（１）の解像度に応じたシンボル画像データを送信する。
前記サーバ（７）から送信された前記シンボル画像データは、携帯端末（１）のシンボル画像データ受信手段（ＫＣ１１Ｂ）により受信され、端末側シンボル画像データ記憶手段（ＫＣ２）に記憶される。
【００１２】
したがって、第１発明の画像データ送受信システム（Ｓ）では、携帯端末（１）の端末側シンボル画像データ記憶手段（ＫＣ２）には、情報表示画面（１１）の解像度に応じたシンボル画像データが記憶される。即ち、前記情報表示画面（１１）に表示される表示画像が作成される際に、解像度に応じたシンボル画像データが使用される。この結果、情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００１３】
（第１発明の形態１）
第１発明の形態１の画像データ送受信システム（Ｓ）は、前記第１発明の画像データ送受信システム（Ｓ）において、下記の構成要件（Ａ６）〜（Ａ１０）を備えた前記携帯端末（１）と、下記の構成要件（Ｂ５）〜（Ｂ７）を備えた前記サーバ（７）と、を備えたことを特徴とする。
（Ａ６）前記端末側シンボル画像データ記憶手段（ＫＣ２）に記憶された前記シンボル画像データの識別情報である端末側画像データ識別情報を記憶する端末側画像データ識別情報記憶手段（ＫＣ３）、
（Ａ７）前記情報表示画面（１１）に表示する画像を作成する前に、前記サーバ（７）に対して、前記サーバ（７）が記憶する前記シンボル画像データの識別情報であるサーバ側画像データ識別情報を送信するように要求するサーバ側画像データ識別情報送信要求情報を送信する識別情報送信要求情報送信手段（ＫＣ１０Ａ）、
（Ａ８）前記サーバ（７）から送信された前記サーバ側画像データ識別情報を受信するサーバ側画像データ識別情報受信手段（ＫＣ１１Ａ）、
（Ａ９）受信したサーバ側画像データ識別情報と、前記端末側画像データ識別情報とに基づいて、前記携帯端末（１）に記憶されたシンボル画像データが最新であるか否かを判別するシンボル画像データ最新判別手段（ＫＣ４）、
（Ａ１０）前記携帯端末（１）に記憶された前記シンボル画像データが最新でない場合に、前記サーバ（７）に対し、前記シンボル画像データ送信要求情報と、前記解像度関連情報とを送信する前記シンボル画像データ送信要求情報送信手段（ＫＣ１０Ｂ）、
（Ｂ５）前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）、
（Ｂ６）前記携帯端末（１）から送信されたサーバ側画像データ識別情報送信要求情報を受信するサーバ側画像データ識別情報送信要求情報受信手段（ＳＣ１Ａ）、
（Ｂ７）サーバ側画像データ識別情報送信要求情報を受信した場合に、前記サーバ側画像データ識別情報を送信するサーバ側画像データ識別情報送信手段（ＳＣ５Ａ）。
【００１４】
（第１発明の形態１の作用）
前記構成要件（Ａ６）〜（Ａ１０）を備えた前記携帯端末（１）と、前記構成要件（Ｂ５）〜（Ｂ７）を備えた前記サーバ（７）と、を備えた第１発明の形態１の画像データ送受信システム（Ｓ）では、携帯端末（１）の端末側画像データ識別情報記憶手段（ＫＣ３）は、前記端末側シンボル画像データ記憶手段（ＫＣ２）に記憶された前記シンボル画像データの識別情報である端末側画像データ識別情報を記憶する。携帯端末（１）の識別情報送信要求情報送信手段（ＫＣ１０Ａ）は、前記情報表示画面（１１）に表示する画像を作成する前に、前記サーバ（７）に対して、前記サーバ（７）が記憶する前記シンボル画像データの識別情報であるサーバ側画像データ識別情報を送信するように要求するサーバ側画像データ識別情報送信要求情報を送信する。
【００１５】
前記携帯端末（１）から送信されたサーバ側画像データ識別情報送信要求情報は、サーバ（７）のサーバ側画像データ識別情報送信要求情報受信手段（ＳＣ１Ａ）によって受信される。サーバ（７）は、前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）を有している。そして、サーバ側画像データ識別情報送信手段（ＳＣ５Ａ）は、サーバ側画像データ識別情報送信要求情報を受信した場合に、前記サーバ側画像データ識別情報を送信する。
【００１６】
前記サーバ（７）から送信された前記サーバ側画像データ識別情報は、サーバ側画像データ識別情報受信手段（ＫＣ１１Ａ）によって受信される。シンボル画像データ最新判別手段（ＫＣ４）は、受信したサーバ側画像データ識別情報と、前記端末側画像データ識別情報とに基づいて、前記携帯端末（１）に記憶されたシンボル画像データが最新であるか否かを判別する。そして、前記携帯端末（１）に記憶された前記シンボル画像データが最新でない場合に、前記シンボル画像データ送信要求情報送信手段（ＫＣ１０Ｂ）は、前記サーバ（７）に対し、前記シンボル画像データ送信要求情報と、前記解像度関連情報とを送信する。
【００１７】
したがって、第１発明の形態１の画像データ送受信システム（Ｓ）では、携帯端末（１）のシンボル画像データ最新判別手段（ＫＣ４）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合のみ、シンボル画像データがサーバ（７）から携帯端末（１）に送信される。この結果、最新であるか否かを判別せず毎回シンボル画像データを送信する場合と比較して、送受信するデータ量を低減することができ、通信コストの低減及び通信の混雑を防止できる。また、携帯端末（１）で、シンボル画像データが最新であるか否かの判別ができるので、サーバ（７）にかかる負荷を低減することもできる。
【００１８】
（第１発明の形態２）
第１発明の形態２の画像データ送受信システム（Ｓ）は、前記第１発明の画像データ送受信システム（Ｓ）において、下記の構成要件（Ａ６），（Ａ１１），（Ａ１２）を備えた前記携帯端末（１）と、下記の構成要件（Ｂ５），（Ｂ８）〜（Ｂ１１）を備えた前記サーバ（７）と、を備えたことを特徴とする。
（Ａ６）前記端末側シンボル画像データ記憶手段（ＫＣ２）に記憶されたシンボル画像データの識別情報である端末側画像データ識別情報を記憶する端末側画像データ識別情報記憶手段（ＫＣ３）、
（Ａ１１）前記情報表示画面（１１）に表示する画像を作成する前に、前記サーバ（７）に対して、前記シンボル画像データ送信要求情報と、前記解像度関連情報と、前記端末側画像データ識別情報とを送信する前記シンボル画像データ送信要求情報送信手段（ＫＣ１０Ｂ）、
（Ａ１２）前記端末側シンボル画像データ記憶手段（ＫＣ２）に記憶されたシンボル画像データが最新であることを示すデータ最新告知情報を受信するデータ最新告知情報受信手段（ＫＣ１１Ｄ）、
（Ｂ５）前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）、
（Ｂ８）前記携帯端末（１）から送信された前記シンボル画像データ送信要求情報と、前記解像度関連情報と、前記端末側画像データ識別情報とを受信する前記シンボル画像データ送信要求情報受信手段（ＳＣ１Ｂ）、
（Ｂ９）受信した前記端末側画像データ識別情報と、前記サーバ側画像データ識別情報とに基づいて、前記携帯端末（１）に記憶されたシンボル画像データが最新であるか否かを判別するシンボル画像データ最新判別手段（ＳＣ６）、
（Ｂ１０）前記携帯端末（１）に記憶されたシンボル画像データが最新である場合に、前記携帯端末（１）に対して、前記データ最新告知情報を送信し且つ前記サーバ（７）に記憶された前記シンボル画像データを送信しないデータ最新告知情報送信手段（ＳＣ５Ｄ）、
（Ｂ１１）前記携帯端末（１）に記憶されたシンボル画像データが最新ではない場合に、受信した前記解像度関連情報に基づいて、送信するシンボル画像データを判別する前記端末解像度判別手段（ＳＣ３）。
【００１９】
（第１発明の形態２の作用）
前記構成要件（Ａ６），（Ａ１１），（Ａ１２）を備えた前記携帯端末（１）と、前記構成要件（Ｂ５），（Ｂ８）〜（Ｂ１１）を備えた前記サーバ（７）と、を備えた第１発明の形態２の画像データ送受信システム（Ｓ）では、携帯端末（１）の端末側画像データ識別情報記憶手段（ＫＣ３）は、前記端末側シンボル画像データ記憶手段（ＫＣ２）に記憶されたシンボル画像データの識別情報である端末側画像データ識別情報を記憶する。前記シンボル画像データ送信要求情報送信手段（ＫＣ１０Ｂ）は、前記情報表示画面（１１）に表示する画像を作成する前に、前記サーバ（７）に対して、前記シンボル画像データ送信要求情報と、前記解像度関連情報と、前記端末側画像データ識別情報とを送信する。
【００２０】
前記携帯端末（１）から送信された前記シンボル画像データ送信要求情報と、前記解像度関連情報と、前記端末側画像データ識別情報は、サーバ（７）のシンボル画像データ送信要求情報受信手段（ＳＣ１Ｂ）によって受信される。サーバ（７）のサーバ側画像データ識別情報記憶手段（ＳＣ２Ｂ）には、前記サーバ側シンボル画像データ記憶手段（ＳＣ２Ａ）に記憶されたシンボル画像データの識別情報であるサーバ側画像データ識別情報が記憶されている。サーバ（７）のシンボル画像データ最新判別手段（ＳＣ６）は、受信した前記端末側画像データ識別情報と、前記サーバ側画像データ識別情報とに基づいて、前記携帯端末（１）に記憶されたシンボル画像データが最新であるか否かを判別する。
【００２１】
前記携帯端末（１）に記憶されたシンボル画像データが最新である場合には、サーバ（７）のデータ最新告知情報送信手段（ＳＣ５Ｄ）は、前記携帯端末（１）に対して、前記データ最新告知情報を送信し且つ前記サーバ（７）に記憶された前記シンボル画像データを送信しない。そして、携帯端末（１）のデータ最新告知情報受信手段（ＫＣ１１Ｄ）は、前記端末側シンボル画像データ記憶手段（ＫＣ２）に記憶されたシンボル画像データが最新であることを示すデータ最新告知情報を受信する。
一方、前記携帯端末（１）に記憶されたシンボル画像データが最新ではない場合には、前記端末解像度判別手段（ＳＣ３）は、受信した前記解像度関連情報に基づいて、送信するシンボル画像データを判別する。そして、前記シンボル画像データ送信手段（ＳＣ５Ｂ）は、前記端末解像度判別手段（ＳＣ３）によって判別された前記携帯端末（１）の解像度に応じたシンボル画像データを送信する。
【００２２】
したがって、第１発明の形態２の画像データ送受信システム（Ｓ）では、サーバ（７）のシンボル画像データ最新判別手段（ＳＣ６）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合のみ、シンボル画像データがサーバ（７）から携帯端末（１）に送信される。この結果、最新であるか否かを判別せず毎回シンボル画像データを送信する場合と比較して、送受信するデータ量を低減することができ、通信コストの低減及び通信の混雑を防止できる。また、サーバ（７）で、シンボル画像データが最新であるか否かの判別ができるので、携帯端末（１）での処理を減らすことができ且つサーバ（７）で処理を一括管理できる。
【００２３】
（第１発明の形態３）
第１発明の形態３の画像データ送受信システム（Ｓ）は、前記第１発明、第１発明の形態１または第１発明の形態２の画像データ送受信システム（Ｓ）において、下記の構成要件（Ｂ１２）を備えた前記サーバ（７）と、下記の構成要件（Ａ１３），（Ａ１４）を備えた前記携帯端末（１）を備えたことを特徴とする。
（Ｂ１２）前記シンボル画像を特定するシンボル画像特定情報と、特定された前記シンボル画像を配置する位置を特定する位置情報とを有する地図情報を前記携帯端末（１）に送信する地図情報送信手段（ＳＣ５Ｃ）、
（Ａ１３）前記サーバ（７）から送信された前記地図情報を受信する地図情報受信手段（ＫＣ１１Ｃ）、
（Ａ１４）前記地図情報と、地図記号画像としての前記シンボル画像の前記シンボル画像データとに基づいて、前記情報表示画面（１１）に表示する前記表示画像としての地図画像を作成する地図画像作成手段（ＫＣ５）。
【００２４】
（第１発明の形態３の作用）
前記構成要件（Ｂ１２）を備えた前記サーバ（７）と、前記構成要件（Ａ１３），（Ａ１４）を備えた前記携帯端末（１）を備えた、第１発明の形態３の画像データ送受信システム（Ｓ）では、サーバ（７）の地図情報送信手段（ＳＣ５Ｃ）は、前記シンボル画像を特定するシンボル画像特定情報と、特定された前記シンボル画像を配置する位置を特定する位置情報とを有する地図情報を前記携帯端末（１）に送信する。携帯端末（１）の地図情報受信手段（ＫＣ１１Ｃ）は、サーバ（７）から送信された前記地図情報を受信する。携帯端末（１）の地図画像作成手段（ＫＣ５）は、前記地図情報と、地図記号画像としての前記シンボル画像の前記シンボル画像データとに基づいて、前記情報表示画面（１１）に表示する前記表示画像としての地図画像を作成する。
【００２５】
したがって、第１発明の形態３の画像データ送受信システム（Ｓ）では、サーバ（７）から送信された地図情報と、携帯端末（１）に記憶された地図記号画像に基づいて、地図画像が作成され、情報表示画面（１１）に表示される。したがって、携帯端末（１）の情報表示画面（１１）の解像度に応じて、適切な大きさの地図記号が配置された地図画像が表示され、地図記号が小さすぎて見づらいという問題を解消できる。
【００２６】
（第２発明）
また、前記技術的課題を解決するために第２発明の画像データ送受信システム（Ｓ）は、下記の構成要件（Ｃ１）〜（Ｃ４）を備えた携帯端末（１）と、下記の構成要件（Ｄ１）〜（Ｄ５）を備えたサーバ（７）と、を備えたことを特徴とする。
（Ｃ１）情報が表示される情報表示画面（１１）、
（Ｃ２）前記情報表示画面（１１）の解像度に関連する解像度関連情報を記憶する解像度関連情報記憶手段（ＫＣ１）、
（Ｃ３）前記サーバ（７）に対し、前記情報表示画面（１１）に表示する表示画像を送信するように要求する表示画像データ送信要求情報と、前記解像度関連情報とを送信する表示画像データ送信要求情報送信手段（ＫＣ１０Ｃ）、
（Ｃ４）前記サーバ（７）から送信された表示画像データを受信する表示画像データ受信手段（ＫＣ１１Ｃ″）、
（Ｄ１）前記表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶するサーバ側シンボル画像データ記憶手段（ＳＣ２Ａ）、
（Ｄ２）前記携帯端末（１）から送信された前記表示画像データ送信要求情報及び解像度関連情報を受信する表示画像データ送信要求情報受信手段（ＳＣ１Ｃ）、
（Ｄ３）受信した前記解像度関連情報に基づいて、前記情報表示画面（１１）の解像度に応じた前記シンボル画像データを判別する端末解像度判別手段（ＳＣ３）、
（Ｄ４）前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する表示画像作成手段（ＳＣ４″）、
（Ｄ５）作成した前記表示画像のデータである表示画像データを送信する表示画像データ送信手段（ＳＣ５Ｅ）。
【００２７】
（第２発明の作用）
前記構成要件（Ｃ１）〜（Ｃ４）を備えた携帯端末（１）と、前記構成要件（Ｄ１）〜（Ｄ５）を備えたサーバ（７）と、を備えた第２発明の画像データ送受信システム（Ｓ）では、携帯端末（１）の解像度関連情報記憶手段（ＫＣ１）は、情報が表示される情報表示画面（１１）の解像度に関連する解像度関連情報を記憶する。携帯端末（１）の表示画像データ送信要求情報送信手段（ＫＣ１０Ｃ）は、前記サーバ（７）に対し、前記情報表示画面（１１）に表示する表示画像を送信するように要求する表示画像データ送信要求情報と、前記解像度関連情報とを送信する。
【００２８】
前記携帯端末（１）から送信された前記表示画像データ送信要求情報及び解像度関連情報は、サーバ（７）の表示画像データ送信要求情報受信手段（ＳＣ１Ｃ）によって受信される。サーバ側シンボル画像データ記憶手段（ＳＣ２Ａ）には、前記表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データが記憶されている。サーバ（７）の端末解像度判別手段（ＳＣ３）は、受信した前記解像度関連情報に基づいて、前記情報表示画面（１１）の解像度に応じた前記シンボル画像データを判別する。
【００２９】
サーバ（７）の表示画像作成手段（ＳＣ４″）は、前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する。そして、サーバ（７）の表示画像データ送信手段（ＳＣ５Ｅ）は、作成した前記表示画像のデータである表示画像データを送信する。
前記サーバ（７）から送信された表示画像データは、サーバ（７）の表示画像データ受信手段（ＫＣ１１Ｃ″）によって受信され、情報表示画面（１１）に表示画像が表示される。
【００３０】
したがって、第２発明の画像データ送受信システム（Ｓ）では、携帯端末（１）の情報表示画面（１１）に表示される表示画像は、携帯端末（１）ではなく、サーバ（７）で作成される。このとき、携帯端末（１）の情報表示画面（１１）の解像度に応じたシンボル画像データが使用されて表示画像が作成される。この結果、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００３１】
（第３発明）
また、前記技術的課題を解決するために第３発明のサーバ（７）は、
情報が表示される情報表示画面（１１）と、
前記情報表示画面（１１）の解像度に関連する解像度関連情報を記憶する解像度関連情報記憶手段（ＫＣ１）と、
前記情報表示画面（１１）に表示する表示画像を作成する際に使用され且つ、前記表示画像の一部を形成する特定の図形であるシンボル画像のシンボル画像データを記憶する端末側シンボル画像データ記憶手段（ＫＣ２）と、
サーバ（７）に対し、前記サーバ（７）が記憶する前記シンボル画像データを送信するように要求するシンボル画像データ送信要求情報と、前記解像度関連情報とを送信するシンボル画像データ送信要求情報送信手段（ＫＣ１０Ｂ）と、
前記サーバ（７）から送信された前記シンボル画像データを受信するシンボル画像データ受信手段（ＫＣ１１Ｂ）と、
を有する携帯端末（１）との間で前記画像データの送受信が可能なサーバ（７）において、下記の構成要件（Ｂ１）〜（Ｂ４）を備えたことを特徴とする。
（Ｂ１）前記携帯端末（１）の前記情報表示画面（１１）の解像度に応じた複数の前記シンボル画像データを記憶するサーバ側シンボル画像データ記憶手段（ＳＣ２Ａ）、
（Ｂ２）前記携帯端末（１）から送信された前記シンボル画像データ送信要求情報及び解像度関連情報を受信するシンボル画像データ送信要求情報受信手段（ＳＣ１Ｂ）、
（Ｂ３）受信した前記解像度関連情報に基づいて、前記携帯端末（１）に送信するシンボル画像データを判別する端末解像度判別手段（ＳＣ３）、
（Ｂ４）前記端末解像度判別手段（ＳＣ３）によって判別された前記携帯端末（１）の解像度に応じたシンボル画像データを送信するシンボル画像データ送信手段（ＳＣ５Ｂ）。
【００３２】
（第３発明の作用）
前記構成要件（Ｂ１）〜（Ｂ４）を備えた第３発明のサーバ（７）では、サーバ側シンボル画像データ記憶手段（ＳＣ２Ａ）は、前記携帯端末（１）の前記情報表示画面（１１）の解像度に応じた複数の前記シンボル画像データを記憶する。前記携帯端末（１）から送信された前記シンボル画像データ送信要求情報及び解像度関連情報は、シンボル画像データ送信要求情報受信手段（ＳＣ１Ｂ）によって受信する。そして、受信した前記解像度関連情報に基づいて、端末解像度判別手段（ＳＣ３）は、前記携帯端末（１）に送信するシンボル画像データを判別する。シンボル画像データ送信手段（ＳＣ５Ｂ）は、前記端末解像度判別手段（ＳＣ３）によって判別された前記携帯端末（１）の解像度に応じたシンボル画像データを送信する。
【００３３】
したがって、第３発明のサーバ（７）は、携帯端末（１）の情報表示画面（１１）の解像度に応じたシンボル画像データを送信することができる。この結果、解像度に応じたシンボル画像データを使用して、携帯端末（１）の情報表示画面（１１）に表示される表示画像が作成される。したがって、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００３４】
（第３発明の形態１）
第３発明の形態１のサーバ（７）は、
前記端末側シンボル画像データ記憶手段（ＫＣ２）に記憶された前記シンボル画像データの識別情報である端末側画像データ識別情報を記憶する端末側画像データ識別情報記憶手段（ＫＣ３）と、
前記情報表示画面（１１）に表示する画像を作成する前に、前記サーバ（７）に対して、前記サーバ（７）が記憶する前記シンボル画像データの識別情報であるサーバ側画像データ識別情報を送信するように要求するサーバ側画像データ識別情報送信要求情報を送信する識別情報送信要求情報送信手段（ＫＣ１０Ａ）と、
前記サーバ（７）から送信された前記サーバ側画像データ識別情報を受信するサーバ側画像データ識別情報受信手段（ＫＣ１１Ａ）と、
受信したサーバ側画像データ識別情報と、前記端末側画像データ識別情報とに基づいて、前記携帯端末（１）に記憶されたシンボル画像データが最新であるか否かを判別するシンボル画像データ最新判別手段（ＫＣ４）と、
前記携帯端末（１）に記憶された前記シンボル画像データが最新でない場合に、前記サーバ（７）に対し、前記シンボル画像データ送信要求情報と、前記解像度関連情報とを送信する前記シンボル画像データ送信要求情報送信手段（ＫＣ１０Ｂ）と、
を有する前記携帯端末（１）との間で画像データの送受信が可能な前記第３発明のサーバ（７）において、下記の構成要件（Ｂ５）〜（Ｂ７）を備えたことを特徴とする。
（Ｂ５）前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）、
（Ｂ６）前記携帯端末（１）から送信されたサーバ側画像データ識別情報送信要求情報を受信するサーバ側画像データ識別情報送信要求情報受信手段（ＳＣ１Ａ）、
（Ｂ７）サーバ側画像データ識別情報送信要求情報を受信した場合に、前記サーバ側画像データ識別情報を送信するサーバ側画像データ識別情報送信手段（ＳＣ５Ａ）。
【００３５】
（第３発明の形態１の作用）
前記構成要件（Ｂ５）〜（Ｂ７）を備えた第３発明の形態１のサーバ（７）では、サーバ側画像データ識別情報記憶手段（ＳＣ２Ｂ）は、前記サーバ側シンボル画像データ記憶手段（ＳＣ２Ａ）に記憶されたシンボル画像データの識別情報であるサーバ側画像データ識別情報を記憶する。サーバ側画像データ識別情報送信要求情報受信手段（ＳＣ１Ａ）は、前記携帯端末（１）から送信されたサーバ側画像データ識別情報送信要求情報を受信する。サーバ側画像データ識別情報送信手段（ＳＣ５Ａ）は、サーバ側画像データ識別情報送信要求情報を受信した場合に、前記サーバ側画像データ識別情報を送信する。
【００３６】
したがって、第３発明の形態１のサーバ（７）では、携帯端末（１）からの要求に応じてサーバ側画像データ識別情報を送信できる。そして、前記サーバ側画像データ識別情報を受信した携帯端末（１）で、携帯端末（１）に記憶されたシンボル画像データが最新であるか否かを判別でき、最新でない場合のみ、サーバ（７）から携帯端末（１）にシンボル画像データを送信できる。この結果、最新であるか否かを判別せず毎回シンボル画像データを送信する場合と比較して、送受信するデータ量を低減することができ、通信コストの低減及び通信の混雑を防止できる。また、携帯端末（１）で、シンボル画像データが最新であるか否かの判別ができるので、サーバ（７）にかかる負荷を低減することもできる。
【００３７】
（第３発明の形態２）
第３発明の形態２のサーバ（７）は、
前記端末側シンボル画像データ記憶手段（ＫＣ２）に記憶されたシンボル画像データの識別情報である端末側画像データ識別情報を記憶する端末側画像データ識別情報記憶手段（ＫＣ３）と、
前記情報表示画面（１１）に表示する画像を作成する前に、前記サーバ（７）に対して、前記シンボル画像データ送信要求情報と、前記解像度関連情報と、前記端末側画像データ識別情報とを送信する前記シンボル画像データ送信要求情報送信手段（ＫＣ１０Ｂ）と、
前記端末側シンボル画像データ記憶手段（ＫＣ２）に記憶されたシンボル画像データが最新であることを示すデータ最新告知情報を受信するデータ最新告知情報受信手段（ＫＣ１１Ｄ）と、
を有する前記携帯端末（１）との間で画像データの送受信が可能な前記第３発明のサーバ（７）において、下記の構成要件（Ｂ５），（Ｂ８）〜（Ｂ１１）を備えたことを特徴とする。
（Ｂ５）前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）、
（Ｂ８）前記携帯端末（１）から送信された前記シンボル画像データ送信要求情報と、前記解像度関連情報と、前記端末側画像データ識別情報とを受信する前記シンボル画像データ送信要求情報受信手段（ＳＣ１Ｂ）、
（Ｂ９）受信した前記端末側画像データ識別情報と、前記サーバ側画像データ識別情報とに基づいて、前記携帯端末（１）に記憶されたシンボル画像データが最新であるか否かを判別するシンボル画像データ最新判別手段（ＳＣ６）、
（Ｂ１０）前記携帯端末（１）に記憶されたシンボル画像データが最新である場合に、前記携帯端末（１）に対して、前記データ最新告知情報を送信し且つ前記サーバ（７）に記憶された前記シンボル画像データを送信しないデータ最新告知情報送信手段（ＳＣ５Ｄ）、
（Ｂ１１）前記携帯端末（１）に記憶されたシンボル画像データが最新ではない場合に、受信した前記解像度関連情報に基づいて、送信するシンボル画像データを判別する前記端末解像度判別手段（ＳＣ３）。
【００３８】
（第３発明の形態２の作用）
前記構成要件（Ｂ５）、（Ｂ８）〜（Ｂ１１）を備えた第３発明の形態２のサーバ（７）では、サーバ側画像データ識別情報記憶手段（ＳＣ２Ｂ）は、前記サーバ側シンボル画像データ記憶手段（ＳＣ２Ａ）に記憶されたシンボル画像データの識別情報であるサーバ側画像データ識別情報を記憶する。前記シンボル画像データ送信要求情報受信手段（ＳＣ１Ｂ）は、  前記携帯端末（１）から送信された前記シンボル画像データ送信要求情報と、前記解像度関連情報と、前記端末側画像データ識別情報とを受信する。受信した前記端末側画像データ識別情報と、前記サーバ側画像データ識別情報とに基づいて、シンボル画像データ最新判別手段（ＳＣ６）は、前記携帯端末（１）に記憶されたシンボル画像データが最新であるか否かを判別する。
【００３９】
前記携帯端末（１）に記憶されたシンボル画像データが最新である場合、データ最新告知情報送信手段（ＳＣ５Ｄ）は、前記携帯端末（１）に対して、前記データ最新告知情報を送信し且つ前記サーバ（７）に記憶された前記シンボル画像データを送信しない。
一方、前記携帯端末（１）に記憶されたシンボル画像データが最新ではない場合、前記端末解像度判別手段（ＳＣ３）は、受信した前記解像度関連情報に基づいて、送信するシンボル画像データを判別する。そして、前記シンボル画像データ送信手段（ＳＣ５Ｂ）は、前記端末解像度判別手段（ＳＣ３）によって判別された前記携帯端末（１）の解像度に応じたシンボル画像データを送信する。
【００４０】
したがって、第３発明の形態２のサーバ（７）では、サーバ（７）のシンボル画像データ最新判別手段（ＳＣ６）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合のみ、シンボル画像データがサーバ（７）から携帯端末（１）に送信される。この結果、最新であるか否かを判別せず毎回シンボル画像データを送信する場合と比較して、送受信するデータ量を低減することができ、通信コストの低減及び通信の混雑を防止できる。また、サーバ（７）で、シンボル画像データが最新であるか否かの判別ができるので、携帯端末（１）での処理を減らすことができ且つサーバ（７）で処理を一括管理できる。
【００４１】
（第４発明）
前記技術的課題を解決するために第４発明の携帯端末（１）は、
携帯端末（１）の情報表示画面（１１）に表示する表示画像を作成する際に使用され且つ、前記表示画像の一部を形成する特定の図形であるシンボル画像のシンボル画像データを、前記情報表示画面（１１）の解像度に応じて記憶するサーバ側シンボル画像データ記憶手段（ＳＣ２Ａ）と、
サーバ（７）が記憶する前記シンボル画像データを送信するように要求するシンボル画像データ送信要求情報及び前記情報表示画面（１１）の解像度に関連する解像度関連情報を受信するシンボル画像データ送信要求情報受信手段（ＳＣ１Ｂ）と、
受信した前記解像度関連情報に基づいて、前記携帯端末（１）に送信するシンボル画像データを判別する端末解像度判別手段（ＳＣ３）と、
前記端末解像度判別手段（ＳＣ３）によって判別された前記携帯端末（１）の解像度に応じたシンボル画像データを送信するシンボル画像データ送信手段（ＳＣ５Ｂ）と、
を有するサーバ（７）との間で前記画像データの送受信が可能な携帯端末（１）において、下記の構成要件（Ａ１）〜（Ａ５）を備えたことを特徴とする。
（Ａ１）前記情報表示画面（１１）、
（Ａ２）前記解像度関連情報を記憶する解像度関連情報記憶手段（ＫＣ１）、
（Ａ３）前記シンボル画像データを記憶する端末側シンボル画像データ記憶手段（ＫＣ２）、
（Ａ４）前記シンボル画像データ送信要求情報と、前記解像度関連情報とを送信するシンボル画像データ送信要求情報送信手段（ＫＣ１０Ｂ）、
（Ａ５）前記サーバ（７）から送信された前記シンボル画像データを受信するシンボル画像データ受信手段（ＫＣ１１Ｂ）。
【００４２】
（第４発明の作用）
前記構成要件（Ａ１）〜（Ａ５）を備えた第４発明の携帯端末（１）では、解像度関連情報記憶手段（ＫＣ１）は、解像度関連情報を記憶する。端末側シンボル画像データ記憶手段（ＫＣ２）は、前記シンボル画像データを記憶する。そして、シンボル画像データ送信要求情報送信手段（ＫＣ１０Ｂ）は、前記シンボル画像データ送信要求情報と、前記解像度関連情報とを送信し、シンボル画像データ受信手段（ＫＣ１１Ｂ）は、前記サーバ（７）から送信された前記シンボル画像データを受信する。なお、シンボル画像データ受信手段（ＫＣ１１Ｂ）が受信した前記シンボル画像データは、端末側シンボル画像データ記憶手段（ＫＣ２）に記憶される。
【００４３】
したがって、第４発明の携帯端末（１）では、携帯端末（１）の端末側シンボル画像データ記憶手段（ＫＣ２）には、情報表示画面（１１）の解像度に応じたシンボル画像データが記憶される。即ち、前記情報表示画面（１１）に表示される表示画像が作成される際に、解像度に応じたシンボル画像データが使用される。この結果、情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００４４】
（第４発明の形態１）
第４発明の形態１の携帯端末（１）は、
前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）と、
前記携帯端末（１）から送信された、前記サーバ側画像データ識別情報の送信を要求するサーバ側画像データ識別情報送信要求情報を受信するサーバ側画像データ識別情報送信要求情報受信手段（ＳＣ１Ａ）と、
前記サーバ側画像データ識別情報送信要求情報を受信した場合に、前記サーバ側画像データ識別情報を送信するサーバ側画像データ識別情報送信手段（ＳＣ５Ａ）と、
を有する前記サーバ（７）との間で前記画像データの送受信が可能な前記第４発明の携帯端末（１）において、下記の構成要件（Ａ６）〜（Ａ１０）を備えたことを特徴とする。
（Ａ６）前記端末側シンボル画像データ記憶手段（ＫＣ２）に記憶された前記シンボル画像データの識別情報である端末側画像データ識別情報を記憶する端末側画像データ識別情報記憶手段（ＫＣ３）、
（Ａ７）前記情報表示画面（１１）に表示する画像を作成する前に、前記サーバ（７）に対して、前記サーバ側画像データ識別情報送信要求情報を送信する識別情報送信要求情報送信手段（ＫＣ１０Ａ）、
（Ａ８）前記サーバ（７）から送信された前記サーバ側画像データ識別情報を受信するサーバ側画像データ識別情報受信手段（ＫＣ１１Ａ）、
（Ａ９）受信した前記サーバ側画像データ識別情報と、前記端末側画像データ識別情報とに基づいて、前記携帯端末（１）に記憶されたシンボル画像データが最新であるか否かを判別するシンボル画像データ最新判別手段（ＫＣ４）、
（Ａ１０）前記携帯端末（１）に記憶された前記シンボル画像データが最新でない場合に、前記サーバ（７）に対し、前記シンボル画像データ送信要求情報と、前記解像度関連情報と、を送信する前記シンボル画像データ送信要求情報送信手段（ＫＣ１０Ｂ）。
【００４５】
（第４発明の形態１の作用）
前記構成要件（Ａ６）〜（Ａ１０）を備えた第４発明の形態１の携帯端末（１）では、端末側画像データ識別情報記憶手段（ＫＣ３）は、前記端末側シンボル画像データ記憶手段（ＫＣ２）に記憶された前記シンボル画像データの識別情報である端末側画像データ識別情報を記憶する。識別情報送信要求情報送信手段（ＫＣ１０Ａ）は、前記情報表示画面（１１）に表示する画像を作成する前に、前記サーバ（７）に対して、前記サーバ側画像データ識別情報送信要求情報を送信する。サーバ側画像データ識別情報受信手段（ＫＣ１１Ａ）は、前記サーバ（７）から送信された前記サーバ側画像データ識別情報を受信する。
【００４６】
そして、シンボル画像データ最新判別手段（ＫＣ４）は、受信した前記サーバ側画像データ識別情報と、前記端末側画像データ識別情報とに基づいて、前記携帯端末（１）に記憶されたシンボル画像データが最新であるか否かを判別する。前記携帯端末（１）に記憶された前記シンボル画像データが最新でない場合、前記シンボル画像データ送信要求情報送信手段（ＫＣ１０Ｂ）は、前記サーバ（７）に対し、前記シンボル画像データ送信要求情報と、前記解像度関連情報と、を送信する。
【００４７】
したがって、第４発明の形態１の携帯端末（１）では、携帯端末（１）のシンボル画像データ最新判別手段（ＫＣ４）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合のみ、シンボル画像データがサーバ（７）から携帯端末（１）に送信される。この結果、最新であるか否かを判別せず毎回シンボル画像データを送信する場合と比較して、送受信するデータ量を低減することができ、通信コストの低減及び通信の混雑を防止できる。また、携帯端末（１）で、シンボル画像データが最新であるか否かの判別ができるので、サーバ（７）にかかる負荷を低減することもできる。
【００４８】
（第４発明の形態２）
また、第４発明の形態２の携帯端末（１）は、
前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）と、
前記携帯端末（１）から送信された前記シンボル画像データ送信要求情報と、前記解像度関連情報と、前記端末側シンボル画像データ記憶手段（ＫＣ２）に記憶されたシンボル画像データの識別情報である端末側画像データ識別情報とを受信する前記シンボル画像データ送信要求情報受信手段（ＳＣ１Ｂ）と、
受信した前記端末側画像データ識別情報と、前記サーバ側画像データ識別情報とに基づいて、前記携帯端末（１）に記憶されたシンボル画像データが最新であるか否かを判別するシンボル画像データ最新判別手段（ＳＣ６）と、
前記携帯端末（１）に記憶されたシンボル画像データが最新である場合に、前記携帯端末（１）に対して、前記端末側シンボル画像データ記憶手段（ＫＣ２）に記憶されたシンボル画像データが最新であることを示すデータ最新告知情報を送信し且つ前記サーバ（７）に記憶された前記シンボル画像データを送信しないデータ最新告知情報送信手段（ＳＣ５Ｄ）と、
前記携帯端末（１）に記憶されたシンボル画像データが最新ではない場合に、受信した前記解像度関連情報に基づいて、送信するシンボル画像データを判別する前記端末解像度判別手段（ＳＣ３）と、
を有する前記サーバ（７）との間で画像データの送受信が可能な前記第４発明の携帯端末（１）において、下記の構成要件（Ａ６），（Ａ１１），（Ａ１２）を備えたことを特徴とする。
（Ａ６）前記端末側画像データ識別情報を記憶する端末側画像データ識別情報記憶手段（ＫＣ３）、
（Ａ１１）前記情報表示画面（１１）に表示する画像を作成する前に、前記サーバ（７）に対して、前記シンボル画像データ送信要求情報と、前記解像度関連情報と、前記端末側画像データ識別情報とを送信する前記シンボル画像データ送信要求情報送信手段（ＫＣ１０Ｂ）、
（Ａ１２）前記端末側シンボル画像データ記憶手段（ＫＣ２）に記憶されたシンボル画像データが最新であることを示すデータ最新告知情報を受信するデータ最新告知情報受信手段（ＫＣ１１Ｄ）。
【００４９】
（第４発明の形態２の作用）
前記構成要件（Ａ６），（Ａ１１），（Ａ１２）を備えた第４発明の形態２の携帯端末（１）では、端末側画像データ識別情報記憶手段（ＫＣ３）は、前記端末側画像データ識別情報を記憶する。前記シンボル画像データ送信要求情報送信手段（ＫＣ１０Ｂ）は、前記情報表示画面（１１）に表示する画像を作成する前に、前記サーバ（７）に対して、前記シンボル画像データ送信要求情報と、前記解像度関連情報と、前記端末側画像データ識別情報とを送信する。そして、データ最新告知情報受信手段（ＫＣ１１Ｄ）は、端末側シンボル画像データ記憶手段（ＫＣ２）に記憶されたシンボル画像データが最新であることを示すサーバ（７）から送信されたデータ最新告知情報を受信する。
【００５０】
したがって、第４発明の形態２の携帯端末（１）では、サーバ（７）のシンボル画像データ最新判別手段（ＳＣ６）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合、シンボル画像データがサーバ（７）から携帯端末（１）に送信される。一方、携帯端末（１）のシンボル画像データが最新の場合、データ最新告知情報が送信され、シンボル画像データが送信されない。
この結果、最新であるか否かを判別せず毎回シンボル画像データを送信する場合と比較して、送受信するデータ量を低減することができ、通信コストの低減及び通信の混雑を防止できる。また、サーバ（７）で、シンボル画像データが最新であるか否かの判別ができるので、携帯端末（１）での処理を減らすことができ且つサーバ（７）で処理を一括管理できる。
【００５１】
（第５発明）
前記技術的課題を解決するために第５発明のサーバ（７）は、
情報が表示される情報表示画面（１１）と、
前記情報表示画面（１１）の解像度に関連する解像度関連情報を記憶する解像度関連情報記憶手段（ＫＣ１）と、
サーバ（７）に対し、前記情報表示画面（１１）に表示する表示画像を送信するように要求する表示画像データ送信要求情報と、前記解像度関連情報とを送信する表示画像データ送信要求情報送信手段（ＫＣ１０Ｃ）と、
前記サーバ（７）から送信された表示画像データを受信する表示画像データ受信手段（ＫＣ１１Ｃ″）と、
を備えた携帯端末（１）と画像データの送受信が可能な前記サーバ（７）において、下記の構成要件（Ｄ１）〜（Ｄ５）を備えたことを特徴とする。
（Ｄ１）前記表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶するサーバ側シンボル画像データ記憶手段（ＳＣ２Ａ）、
（Ｄ２）前記携帯端末（１）から送信された前記表示画像データ送信要求情報及び解像度関連情報を受信する表示画像データ送信要求情報受信手段（ＳＣ１Ｃ）、
（Ｄ３）受信した前記解像度関連情報に基づいて、前記情報表示画面（１１）の解像度に応じた前記シンボル画像データを判別する端末解像度判別手段（ＳＣ３）、
（Ｄ４）前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する表示画像作成手段（ＳＣ４″）、
（Ｄ５）作成した前記表示画像のデータである表示画像データを送信する表示画像データ送信手段（ＳＣ５Ｅ）。
【００５２】
（第５発明の作用）
前記構成要件（Ｄ１）〜（Ｄ５）を備えた第５発明のサーバ（７）では、サーバ側シンボル画像データ記憶手段（ＳＣ２Ａ）は、前記表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶する。表示画像データ送信要求情報受信手段（ＳＣ１Ｃ）は、前記携帯端末（１）から送信された前記表示画像データ送信要求情報及び解像度関連情報を受信する。
【００５３】
端末解像度判別手段（ＳＣ３）は、受信した前記解像度関連情報に基づいて、前記情報表示画面（１１）の解像度に応じた前記シンボル画像データを判別する。表示画像作成手段（ＳＣ４″）は、前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する。表示画像データ送信手段（ＳＣ５Ｅ）は、作成した前記表示画像のデータである表示画像データを送信する。
【００５４】
したがって、第５発明のサーバ（７）では、携帯端末（１）の情報表示画面（１１）に表示される表示画像は、携帯端末（１）ではなく、サーバ（７）で作成される。このとき、携帯端末（１）の情報表示画面（１１）の解像度に応じたシンボル画像データが使用されて表示画像が作成される。この結果、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００５５】
（第６発明）
また、前記技術的課題を解決するために第６発明の携帯端末（１）は、
携帯端末（１）の情報表示画面（１１）に表示する表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶するサーバ側シンボル画像データ記憶手段（ＳＣ２Ａ）と、
前記情報表示画面（１１）に表示する表示画像を送信するように要求する表示画像データ送信要求情報及び前記情報表示画面（１１）の解像度に関連する解像度関連情報を受信する表示画像データ送信要求情報受信手段（ＳＣ１Ｃ）と、
受信した前記解像度関連情報に基づいて、前記情報表示画面（１１）の解像度に応じた前記シンボル画像データを判別する端末解像度判別手段（ＳＣ３）と、
前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する表示画像作成手段（ＳＣ４″）と、
作成した前記表示画像のデータである表示画像データを送信する表示画像データ送信手段（ＳＣ５Ｅ）と、
を有するサーバ（７）との間で画像データの送受信が可能な前記携帯端末（１）において、下記の構成要件（Ｃ１）〜（Ｃ４）を備えたことを特徴とする。
（Ｃ１）情報が表示される情報表示画面（１１）、
（Ｃ２）前記情報表示画面（１１）の解像度に関連する解像度関連情報を記憶する解像度関連情報記憶手段（ＫＣ１）、
（Ｃ３）前記サーバ（７）に対し、前記情報表示画面（１１）に表示する表示画像を送信するように要求する表示画像データ送信要求情報と、前記解像度関連情報とを送信する表示画像データ送信要求情報送信手段（ＫＣ１０Ｃ）、
（Ｃ４）前記サーバ（７）から送信された表示画像データを受信する表示画像データ受信手段（ＫＣ１１Ｃ″）。
【００５６】
（第６発明の作用）
前記構成要件（Ｃ１）〜（Ｃ４）を備えた第６発明の携帯端末（１）では、解像度関連情報記憶手段（ＫＣ１）は、情報が表示される情報表示画面（１１）の解像度に関連する解像度関連情報を記憶する。表示画像データ送信要求情報送信手段（ＫＣ１０Ｃ）は、前記サーバ（７）に対し、前記情報表示画面（１１）に表示する表示画像を送信するように要求する表示画像データ送信要求情報と、前記解像度関連情報とを送信する。表示画像データ受信手段（ＫＣ１１Ｃ″）は、前記サーバ（７）から送信された表示画像データを受信する。
【００５７】
したがって、第６発明の携帯端末（１）では、携帯端末（１）の情報表示画面（１１）に表示される表示画像は、携帯端末（１）ではなく、サーバ（７）で作成される。このとき、携帯端末（１）の情報表示画面（１１）の解像度に応じたシンボル画像データが使用されて表示画像が作成される。この結果、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００５８】
（第７発明）
前記技術的課題を解決するために第７発明のサーバ（７）用のプログラム（ＡＰ３，ＡＰ３′）は、
情報が表示される情報表示画面（１１）と、
前記情報表示画面（１１）の解像度に関連する解像度関連情報を記憶する解像度関連情報記憶手段（ＫＣ１）と、
前記情報表示画面（１１）に表示する表示画像を作成する際に使用され且つ、前記表示画像の一部を形成する特定の図形であるシンボル画像のシンボル画像データを記憶する端末側シンボル画像データ記憶手段（ＫＣ２）と、
サーバ（７）に対し、前記サーバ（７）が記憶する前記シンボル画像データを送信するように要求するシンボル画像データ送信要求情報と、前記解像度関連情報とを送信するシンボル画像データ送信要求情報送信手段（ＫＣ１０Ｂ）と、
前記サーバ（７）から送信された前記シンボル画像データを受信するシンボル画像データ受信手段（ＫＣ１１Ｂ）と、
を有する携帯端末（１）との間で前記画像データの送受信が可能なサーバ（７）を構成するコンピュータを、
前記携帯端末（１）の前記情報表示画面（１１）の解像度に応じた複数の前記シンボル画像データを記憶するサーバ側シンボル画像データ記憶手段（ＳＣ２Ａ）、
前記携帯端末（１）から送信された前記シンボル画像データ送信要求情報及び解像度関連情報を受信するシンボル画像データ送信要求情報受信手段（ＳＣ１Ｂ）、
受信した前記解像度関連情報に基づいて、前記携帯端末（１）に送信するシンボル画像データを判別する端末解像度判別手段（ＳＣ３）、
前記端末解像度判別手段（ＳＣ３）によって判別された前記携帯端末（１）の解像度に応じたシンボル画像データを送信するシンボル画像データ送信手段（ＳＣ５Ｂ）、
として機能させることを特徴とする。
【００５９】
（第７発明の作用）
前記構成要件を備えた第７発明のサーバ（７）用のプログラム（ＡＰ３，ＡＰ３′）により、サーバ側シンボル画像データ記憶手段（ＳＣ２Ａ）は、前記携帯端末（１）の前記情報表示画面（１１）の解像度に応じた複数の前記シンボル画像データを記憶する。シンボル画像データ送信要求情報受信手段（ＳＣ１Ｂ）は、前記携帯端末（１）から送信された前記シンボル画像データ送信要求情報及び解像度関連情報を受信する。端末解像度判別手段（ＳＣ３）は、受信した前記解像度関連情報に基づいて、前記携帯端末（１）に送信するシンボル画像データを判別する。シンボル画像データ送信手段（ＳＣ５Ｂ）は、前記端末解像度判別手段（ＳＣ３）によって判別された前記携帯端末（１）の解像度に応じたシンボル画像データを送信する。
【００６０】
したがって、第７発明のサーバ（７）用のプログラム（ＡＰ３，ＡＰ３′）では、サーバ（７）は、携帯端末（１）の情報表示画面（１１）の解像度に応じたシンボル画像データを送信することができる。この結果、解像度に応じたシンボル画像データを使用して、携帯端末（１）の情報表示画面（１１）に表示される表示画像が作成される。したがって、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００６１】
（第７発明の形態１）
第７発明の形態１のサーバ（７）用のプログラム（ＡＰ３）は、前記第７発明のサーバ（７）用のプログラムにおいて、
前記端末側シンボル画像データ記憶手段（ＫＣ２）に記憶された前記シンボル画像データの識別情報である端末側画像データ識別情報を記憶する端末側画像データ識別情報記憶手段（ＫＣ３）と、
前記情報表示画面（１１）に表示する画像を作成する前に、前記サーバ（７）に対して、前記サーバ（７）が記憶する前記シンボル画像データの識別情報であるサーバ側画像データ識別情報を送信するように要求するサーバ側画像データ識別情報送信要求情報を送信する識別情報送信要求情報送信手段（ＫＣ１０Ａ）と、
前記サーバ（７）から送信された前記サーバ側画像データ識別情報を受信するサーバ側画像データ識別情報受信手段（ＫＣ１１Ａ）と、
受信したサーバ側画像データ識別情報と、前記端末側画像データ識別情報とに基づいて、前記携帯端末（１）に記憶されたシンボル画像データが最新であるか否かを判別するシンボル画像データ最新判別手段（ＫＣ４）と、
前記携帯端末（１）に記憶された前記シンボル画像データが最新でない場合に、前記サーバ（７）に対し、前記シンボル画像データ送信要求情報と、前記解像度関連情報とを送信する前記シンボル画像データ送信要求情報送信手段（ＫＣ１０Ｂ）と、
を有する前記携帯端末（１）との間で画像データの送受信が可能な前記サーバ（７）を構成するコンピュータを、
前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）、
前記携帯端末（１）から送信されたサーバ側画像データ識別情報送信要求情報を受信するサーバ側画像データ識別情報送信要求情報受信手段（ＳＣ１Ａ）、
サーバ側画像データ識別情報送信要求情報を受信した場合に、前記サーバ側画像データ識別情報を送信するサーバ側画像データ識別情報送信手段（ＳＣ５Ａ）、
として機能させることを特徴とする。
【００６２】
（第７発明の形態１の作用）
前記構成要件を備えた第７発明の形態１のサーバ（７）用のプログラム（ＡＰ３）では、サーバ側画像データ識別情報記憶手段（ＳＣ２Ｂ）は、前記サーバ側シンボル画像データ記憶手段（ＳＣ２Ａ）に記憶されたシンボル画像データの識別情報であるサーバ側画像データ識別情報を記憶する。サーバ側画像データ識別情報送信要求情報受信手段（ＳＣ１Ａ）は、前記携帯端末（１）から送信されたサーバ側画像データ識別情報送信要求情報を受信する。サーバ側画像データ識別情報送信手段（ＳＣ５Ａ）は、サーバ側画像データ識別情報送信要求情報を受信した場合に、前記サーバ側画像データ識別情報を送信する。
【００６３】
したがって、第７発明の形態１のサーバ（７）用のプログラム（ＡＰ３）では、携帯端末（１）からの要求に応じてサーバ側画像データ識別情報を送信できる。そして、前記サーバ側画像データ識別情報を受信した携帯端末（１）で、携帯端末（１）に記憶されたシンボル画像データが最新であるか否かを判別でき、最新でない場合のみ、サーバ（７）から携帯端末（１）にシンボル画像データを送信できる。この結果、最新であるか否かを判別せず毎回シンボル画像データを送信する場合と比較して、送受信するデータ量を低減することができ、通信コストの低減及び通信の混雑を防止できる。また、携帯端末（１）で、シンボル画像データが最新であるか否かの判別ができるので、サーバ（７）にかかる負荷を低減することもできる。
【００６４】
（第７発明の形態２）
第７発明の形態２のサーバ（７）用のプログラム（ＡＰ３′）は、第７発明のサーバ（７）用のプログラムにおいて、
前記端末側シンボル画像データ記憶手段（ＫＣ２）に記憶されたシンボル画像データの識別情報である端末側画像データ識別情報を記憶する端末側画像データ識別情報記憶手段（ＫＣ３）と、
前記情報表示画面（１１）に表示する画像を作成する前に、前記サーバ（７）に対して、前記シンボル画像データ送信要求情報と、前記解像度関連情報と、前記端末側画像データ識別情報とを送信する前記シンボル画像データ送信要求情報送信手段（ＫＣ１０Ｂ）と、
前記端末側シンボル画像データ記憶手段（ＫＣ２）に記憶されたシンボル画像データが最新であることを示すデータ最新告知情報を受信するデータ最新告知情報受信手段（ＫＣ１１Ｄ）と、
を有する前記携帯端末（１）との間で画像データの送受信が可能な前記サーバ（７）を構成するコンピュータを、
前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）、
前記携帯端末（１）から送信された前記シンボル画像データ送信要求情報と、前記解像度関連情報と、前記端末側画像データ識別情報とを受信する前記シンボル画像データ送信要求情報受信手段（ＳＣ１Ｂ）、
受信した前記端末側画像データ識別情報と、前記サーバ側画像データ識別情報とに基づいて、前記携帯端末（１）に記憶されたシンボル画像データが最新であるか否かを判別するシンボル画像データ最新判別手段（ＳＣ６）、
前記携帯端末（１）に記憶されたシンボル画像データが最新である場合に、前記携帯端末（１）に対して、前記データ最新告知情報を送信し且つ前記サーバ（７）に記憶された前記シンボル画像データを送信しないデータ最新告知情報送信手段（ＳＣ５Ｄ）、
前記携帯端末（１）に記憶されたシンボル画像データが最新ではない場合に、受信した前記解像度関連情報に基づいて、送信するシンボル画像データを判別する前記端末解像度判別手段（ＳＣ３）、
として機能させることを特徴とする。
【００６５】
（第７発明の形態２の作用）
前記構成要件を備えた第７発明の形態２のサーバ（７）用のプログラム（ＡＰ３′）では、サーバ側画像データ識別情報記憶手段（ＳＣ２Ｂ）は、前記サーバ側シンボル画像データ記憶手段（ＳＣ２Ａ）に記憶されたシンボル画像データの識別情報であるサーバ側画像データ識別情報を記憶する。前記シンボル画像データ送信要求情報受信手段（ＳＣ１Ｂ）は、前記携帯端末（１）から送信された前記シンボル画像データ送信要求情報と、前記解像度関連情報と、前記端末側画像データ識別情報とを受信する。シンボル画像データ最新判別手段（ＳＣ６）は、受信した前記端末側画像データ識別情報と、前記サーバ側画像データ識別情報とに基づいて、前記携帯端末（１）に記憶されたシンボル画像データが最新であるか否かを判別する。
【００６６】
前記携帯端末（１）に記憶されたシンボル画像データが最新である場合、データ最新告知情報送信手段（ＳＣ５Ｄ）は、前記携帯端末（１）に対して、前記データ最新告知情報を送信し且つ前記サーバ（７）に記憶された前記シンボル画像データを送信しない。一方、前記携帯端末（１）に記憶されたシンボル画像データが最新ではない場合、前記端末解像度判別手段（ＳＣ３）は、受信した前記解像度関連情報に基づいて、送信するシンボル画像データを判別する。
【００６７】
したがって、第７発明の形態２のサーバ（７）用のプログラム（ＡＰ３′）では、サーバ（７）のシンボル画像データ最新判別手段（ＳＣ６）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合のみ、シンボル画像データがサーバ（７）から携帯端末（１）に送信される。この結果、最新であるか否かを判別せず毎回シンボル画像データを送信する場合と比較して、送受信するデータ量を低減することができ、通信コストの低減及び通信の混雑を防止できる。また、サーバ（７）で、シンボル画像データが最新であるか否かの判別ができるので、携帯端末（１）での処理を減らすことができ且つサーバ（７）で処理を一括管理できる。
【００６８】
（第８発明）
前記技術的課題を解決するために第８発明のプログラム（ＡＰ１，ＡＰ１′）は、
携帯端末（１）の情報表示画面（１１）に表示する表示画像を作成する際に使用され且つ、前記表示画像の一部を形成する特定の図形であるシンボル画像のシンボル画像データを、前記情報表示画面（１１）の解像度に応じて記憶するサーバ側シンボル画像データ記憶手段（ＳＣ２Ａ）と、
サーバ（７）が記憶する前記シンボル画像データを送信するように要求するシンボル画像データ送信要求情報及び前記情報表示画面（１１）の解像度に関連する解像度関連情報を受信するシンボル画像データ送信要求情報受信手段（ＳＣ１Ｂ）と、
受信した前記解像度関連情報に基づいて、前記携帯端末（１）に送信するシンボル画像データを判別する端末解像度判別手段（ＳＣ３）と、
前記端末解像度判別手段（ＳＣ３）によって判別された前記携帯端末（１）の解像度に応じたシンボル画像データを送信するシンボル画像データ送信手段（ＳＣ５Ｂ）と、
を有するサーバ（７）との間で前記画像データの送受信が可能な携帯端末（１）を構成するコンピュータを、
前記解像度関連情報を記憶する解像度関連情報記憶手段（ＫＣ１）、
前記前記シンボル画像データを記憶する端末側シンボル画像データ記憶手段（ＫＣ２）、
前記シンボル画像データ送信要求情報と、前記解像度関連情報とを送信するシンボル画像データ送信要求情報送信手段（ＫＣ１０Ｂ）、
前記サーバ（７）から送信された前記シンボル画像データを受信するシンボル画像データ受信手段（ＫＣ１１Ｂ）、
として機能させることを特徴とする。
【００６９】
（第８発明の作用）
前記構成要件を備えた第８発明の携帯端末（１）用のプログラム（ＡＰ１，ＡＰ１′）では、解像度関連情報記憶手段（ＫＣ１）は、解像度関連情報を記憶する。端末側シンボル画像データ記憶手段（ＫＣ２）は、前記前記シンボル画像データを記憶する。そして、シンボル画像データ送信要求情報送信手段（ＫＣ１０Ｂ）は、前記シンボル画像データ送信要求情報と、前記解像度関連情報とを送信し、シンボル画像データ受信手段（ＫＣ１１Ｂ）は、前記サーバ（７）から送信された前記シンボル画像データを受信する。なお、シンボル画像データ受信手段（ＫＣ１１Ｂ）が受信した前記シンボル画像データは、端末側シンボル画像データ記憶手段（ＫＣ２）に記憶される。
【００７０】
したがって、第８発明の携帯端末（１）用のプログラム（ＡＰ１，ＡＰ１′）では、携帯端末（１）の端末側シンボル画像データ記憶手段（ＫＣ２）には、情報表示画面（１１）の解像度に応じたシンボル画像データが記憶される。即ち、前記情報表示画面（１１）に表示される表示画像が作成される際に、解像度に応じたシンボル画像データが使用される。この結果、情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００７１】
（第８発明の形態１）
第８発明の形態１の携帯端末（１）用のプログラム（ＡＰ１）は、前記第８発明の携帯端末（１）用のプログラムにおいて、
前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）と、
前記携帯端末（１）から送信された、前記サーバ側画像データ識別情報の送信を要求するサーバ側画像データ識別情報送信要求情報を受信するサーバ側画像データ識別情報送信要求情報受信手段（ＳＣ１Ａ）と、
前記サーバ側画像データ識別情報送信要求情報を受信した場合に、前記サーバ側画像データ識別情報を送信するサーバ側画像データ識別情報送信手段（ＳＣ５Ａ）と、
を有する前記サーバ（７）との間で前記画像データの送受信が可能な前記携帯端末（１）を構成するコンピュータを、
前記端末側シンボル画像データ記憶手段（ＫＣ２）に記憶された前記シンボル画像データの識別情報である端末側画像データ識別情報を記憶する端末側画像データ識別情報記憶手段（ＫＣ３）、
前記情報表示画面（１１）に表示する画像を作成する前に、前記サーバ（７）に対して、前記サーバ側画像データ識別情報送信要求情報を送信する識別情報送信要求情報送信手段（ＫＣ１０Ａ）、
前記サーバ（７）から送信された前記サーバ側画像データ識別情報を受信するサーバ側画像データ識別情報受信手段（ＫＣ１１Ａ）、
受信した前記サーバ側画像データ識別情報と、前記端末側画像データ識別情報とに基づいて、前記携帯端末（１）に記憶されたシンボル画像データが最新であるか否かを判別するシンボル画像データ最新判別手段（ＫＣ４）、
前記携帯端末（１）に記憶された前記シンボル画像データが最新でない場合に、前記サーバ（７）に対し、前記シンボル画像データ送信要求情報と、前記解像度関連情報と、を送信する前記シンボル画像データ送信要求情報送信手段（ＫＣ１０Ｂ）、
として機能させることを特徴とする。
【００７２】
（第８発明の形態１の作用）
前記構成要件を備えた第８発明の形態１の携帯端末（１）用のプログラム（ＡＰ１）では、端末側画像データ識別情報記憶手段（ＫＣ３）は、前記端末側シンボル画像データ記憶手段（ＫＣ２）に記憶された前記シンボル画像データの識別情報である端末側画像データ識別情報を記憶する。識別情報送信要求情報送信手段（ＫＣ１０Ａ）は、前記情報表示画面（１１）に表示する画像を作成する前に、前記サーバ（７）に対して、前記サーバ側画像データ識別情報送信要求情報を送信する。サーバ側画像データ識別情報受信手段（ＫＣ１１Ａ）は、前記サーバ（７）から送信された前記サーバ側画像データ識別情報を受信する。
【００７３】
そして、シンボル画像データ最新判別手段（ＫＣ４）は、受信した前記サーバ側画像データ識別情報と、前記端末側画像データ識別情報とに基づいて、前記携帯端末（１）に記憶されたシンボル画像データが最新であるか否かを判別する。前記携帯端末（１）に記憶された前記シンボル画像データが最新でない場合、前記シンボル画像データ送信要求情報送信手段（ＫＣ１０Ｂ）は、前記サーバ（７）に対し、前記シンボル画像データ送信要求情報と、前記解像度関連情報と、を送信する。
【００７４】
したがって、第８発明の形態１の携帯端末（１）用のプログラム（ＡＰ１）では、携帯端末（１）のシンボル画像データ最新判別手段（ＫＣ４）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合のみ、シンボル画像データがサーバ（７）から携帯端末（１）に送信される。この結果、最新であるか否かを判別せず毎回シンボル画像データを送信する場合と比較して、送受信するデータ量を低減することができ、通信コストの低減及び通信の混雑を防止できる。また、携帯端末（１）で、シンボル画像データが最新であるか否かの判別ができるので、サーバ（７）にかかる負荷を低減することもできる。
【００７５】
（第８発明の形態２）
第８発明の形態２の携帯端末（１）用のプログラム（ＡＰ１′）は、前記第８発明の携帯端末（１）用のプログラムにおいて、
前記サーバ側シンボル画像データ記憶手段（ＳＣ２Ａ）に記憶されたシンボル画像データの識別情報であるサーバ側画像データ識別情報を記憶するサーバ側画像データ識別情報記憶手段（ＳＣ２Ｂ）と、
前記携帯端末（１）から送信された前記シンボル画像データ送信要求情報と、前記解像度関連情報と、前記端末側シンボル画像データ記憶手段（ＫＣ２）に記憶されたシンボル画像データの識別情報である端末側画像データ識別情報とを受信する前記シンボル画像データ送信要求情報受信手段（ＳＣ１Ｂ）と、
受信した前記端末側画像データ識別情報と、前記サーバ側画像データ識別情報とに基づいて、前記携帯端末（１）に記憶されたシンボル画像データが最新であるか否かを判別するシンボル画像データ最新判別手段（ＳＣ６）と、
前記携帯端末（１）に記憶されたシンボル画像データが最新である場合に、前記携帯端末（１）に対して、前記端末側シンボル画像データ記憶手段（ＫＣ２）に記憶されたシンボル画像データが最新であることを示すデータ最新告知情報を送信し且つ前記サーバ（７）に記憶された前記シンボル画像データを送信しないデータ最新告知情報送信手段（ＳＣ５Ｄ）と、
前記携帯端末（１）に記憶されたシンボル画像データが最新ではない場合に、受信した前記解像度関連情報に基づいて、送信するシンボル画像データを判別する前記端末解像度判別手段（ＳＣ３）と、
を有する前記サーバ（７）との間で画像データの送受信が可能な前記携帯端末（１）を構成するコンピュータを、
前記端末側画像データ識別情報を記憶する端末側画像データ識別情報記憶手段（ＫＣ３）、
前記情報表示画面（１１）に表示する画像を作成する前に、前記サーバ（７）に対して、前記シンボル画像データ送信要求情報と、前記解像度関連情報と、前記端末側画像データ識別情報とを送信する前記シンボル画像データ送信要求情報送信手段（ＫＣ１０Ｂ）、
前記端末側シンボル画像データ記憶手段（ＫＣ２）に記憶されたシンボル画像データが最新であることを示すデータ最新告知情報を受信するデータ最新告知情報受信手段（ＫＣ１１Ｄ）、
として機能させることを特徴とする。
【００７６】
（第８発明の形態２の作用）
前記構成要件を備えた第８発明の形態２の携帯端末（１）用のプログラム（ＡＰ１′）では、端末側画像データ識別情報記憶手段（ＫＣ３）は、前記端末側画像データ識別情報を記憶する。前記シンボル画像データ送信要求情報送信手段（ＫＣ１０Ｂ）は、前記情報表示画面（１１）に表示する画像を作成する前に、前記サーバ（７）に対して、前記シンボル画像データ送信要求情報と、前記解像度関連情報と、前記端末側画像データ識別情報とを送信する。そして、データ最新告知情報受信手段（ＫＣ１１Ｄ）は、端末側シンボル画像データ記憶手段（ＫＣ２）に記憶されたシンボル画像データが最新であることを示すサーバ（７）から送信されたデータ最新告知情報を受信する。
【００７７】
したがって、第８発明の形態２の携帯端末（１）用のプログラム（ＡＰ１′）では、サーバ（７）のシンボル画像データ最新判別手段（ＳＣ６）によって、携帯端末（１）の端末側シンボル画像データ記憶手段（ＫＣ２）に記憶された前記シンボル画像データが最新であるか否かが判別される。そして、サーバ側シンボル画像データ記憶手段（ＳＣ２Ａ）に記憶されたシンボル画像データの更新等により、携帯端末（１）のシンボル画像データが最新でない場合、シンボル画像データがサーバ（７）から携帯端末（１）に送信される。一方、携帯端末（１）のシンボル画像データが最新の場合、データ最新告知情報が送信され、シンボル画像データが送信されない。
この結果、最新であるか否かを判別せず毎回シンボル画像データを送信する場合と比較して、送受信するデータ量を低減することができ、通信コストの低減及び通信の混雑を防止できる。また、サーバ（７）で、シンボル画像データが最新であるか否かの判別ができるので、携帯端末（１）での処理を減らすことができ且つサーバ（７）で処理を一括管理できる。
【００７８】
（第９発明）
前記技術的課題を解決するために第９発明のサーバ（７）用のプログラム（ＡＰ３″）は、
情報が表示される情報表示画面（１１）と、
前記情報表示画面（１１）の解像度に関連する解像度関連情報を記憶する解像度関連情報記憶手段（ＫＣ１）と、
サーバ（７）に対し、前記情報表示画面（１１）に表示する表示画像を送信するように要求する表示画像データ送信要求情報と、前記解像度関連情報とを送信する表示画像データ送信要求情報送信手段（ＫＣ１０Ｃ）と、
前記サーバ（７）から送信された表示画像データを受信する表示画像データ受信手段（ＫＣ１１Ｃ″）と、
を備えた携帯端末（１）と画像データの送受信が可能な前記サーバ（７）を構成するコンピュータを、
前記表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶するサーバ側シンボル画像データ記憶手段（ＳＣ２Ａ）、
前記携帯端末（１）から送信された前記表示画像データ送信要求情報及び解像度関連情報を受信する表示画像データ送信要求情報受信手段（ＳＣ１Ｃ）、
受信した前記解像度関連情報に基づいて、前記情報表示画面（１１）の解像度に応じた前記シンボル画像データを判別する端末解像度判別手段（ＳＣ３）、
前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する表示画像作成手段（ＳＣ４″）、
作成した前記表示画像のデータである表示画像データを送信する表示画像データ送信手段（ＳＣ５Ｅ）、
として機能させることを特徴とする。
【００７９】
（第９発明の作用）
前記構成要件を備えた第９発明のサーバ（７）用のプログラム（ＡＰ３″）では、サーバ側シンボル画像データ記憶手段（ＳＣ２Ａ）は、前記表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶する。表示画像データ送信要求情報受信手段（ＳＣ１Ｃ）は、前記携帯端末（１）から送信された前記表示画像データ送信要求情報及び解像度関連情報を受信する。
【００８０】
端末解像度判別手段（ＳＣ３）は、受信した前記解像度関連情報に基づいて、前記情報表示画面（１１）の解像度に応じた前記シンボル画像データを判別する。表示画像作成手段（ＳＣ４″）は、前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する。表示画像データ送信手段（ＳＣ５Ｅ）は、作成した前記表示画像のデータである表示画像データを送信する。
【００８１】
したがって、第９発明のサーバ（７）用のプログラム（ＡＰ３″）では、携帯端末（１）の情報表示画面（１１）に表示される表示画像は、携帯端末（１）ではなく、サーバ（７）で作成される。このとき、携帯端末（１）の情報表示画面（１１）の解像度に応じたシンボル画像データが使用されて表示画像が作成される。この結果、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００８２】
（第１０発明）
前記技術的課題を解決するために第１０発明の携帯端末（１）用のプログラム（ＡＰ１″）は、
携帯端末（１）の情報表示画面（１１）に表示する表示画像を作成する際に使用され且つ、前記表示画像の一部を形成する特定の図形であるシンボル画像のシンボル画像データであって、前記携帯端末（１）の前記情報表示画面（１１）の解像度に応じた複数の前記シンボル画像データを記憶するサーバ側シンボル画像データ記憶手段（ＳＣ２Ａ）と、
前記情報表示画面（１１）に表示する表示画像を送信するように要求する表示画像データ送信要求情報及び前記情報表示画面（１１）の解像度に関連する解像度関連情報を受信する表示画像データ送信要求情報受信手段（ＳＣ１Ｃ）と、
受信した前記解像度関連情報に基づいて、前記情報表示画面（１１）の解像度に応じた前記シンボル画像データを判別する端末解像度判別手段（ＳＣ３）と、
前記端末解像度判別手段（ＳＣ３）によって判別された前記情報表示画面（１１）の解像度に応じた前記シンボル画像データを使用して、前記携帯端末（１）の前記情報表示画面（１１）に表示される前記表示画像を作成する表示画像作成手段（ＳＣ４″）と、
作成した前記表示画像のデータである表示画像データを送信する表示画像データ送信手段（ＳＣ５Ｅ）と、
を有するサーバ（７）との間で画像データの送受信が可能な前記携帯端末（１）を構成するコンピュータを、
情報が表示される情報表示画面（１１）の解像度に関連する解像度関連情報を記憶する解像度関連情報記憶手段（ＫＣ１）、
前記サーバ（７）に対し、前記情報表示画面（１１）に表示する表示画像を送信するように要求する表示画像データ送信要求情報と、前記解像度関連情報とを送信する表示画像データ送信要求情報送信手段（ＫＣ１０Ｃ）、
前記サーバ（７）から送信された表示画像データを受信する表示画像データ受信手段（ＫＣ１１Ｃ″）、
として機能させることを特徴とする。
【００８３】
（第１０発明の作用）
前記構成要件を備えた第１０発明の携帯端末（１）用のプログラム（ＡＰ１″）では、解像度関連情報記憶手段（ＫＣ１）は、情報が表示される情報表示画面（１１）の解像度に関連する解像度関連情報を記憶する。表示画像データ送信要求情報送信手段（ＫＣ１０Ｃ）は、前記サーバ（７）に対し、前記情報表示画面（１１）に表示する表示画像を送信するように要求する表示画像データ送信要求情報と、前記解像度関連情報とを送信する。表示画像データ受信手段（ＫＣ１１Ｃ″）は、前記サーバ（７）から送信された表示画像データを受信する。
【００８４】
したがって、第１０発明の携帯端末（１）用のプログラム（ＡＰ１″）では、携帯端末（１）の情報表示画面（１１）に表示される表示画像は、携帯端末（１）ではなく、サーバ（７）で作成される。このとき、携帯端末（１）の情報表示画面（１１）の解像度に応じたシンボル画像データが使用されて表示画像が作成される。この結果、携帯端末（１）の情報表示画面（１１）の解像度に応じて適切な大きさの表示画像を情報表示画面（１１）に表示することができる。したがって、解像度の高い情報表示画面（１１）において、表示画像（例えば、地図画像）が小さくなりすぎてユーザが見づらいという問題を解消できる。逆に、解像度の低い情報表示画面（１１）において、シンボル画像が大きすぎて表示画像が見づらくなるという問題の発生も防止できる。
【００８５】
なお、前記第７発明〜第１０発明のプログラムは、コンピュータ読取り可能な記録媒体に記録することが可能である。
【発明の効果】
【００８６】
前述の本発明は、次の作用効果を奏する。
即ち、携帯端末の情報表示画面の解像度に応じて、最適な大きさの画像を表示することができる。
また、携帯端末に記憶されたシンボル画像データが最新であるか否かを判別することにより、無駄なデータの送受信を防止でき、データ通信量を低減することができる。
さらに、携帯端末に記憶されたシンボル画像データが最新であるか否かを、携帯端末で判別することにより、サーバへの負荷を抑えることができる。
【発明を実施するための最良の形態】
【００８７】
次に図面を参照しながら、本発明の実施の形態の具体例（実施例）を説明するが、本発明は以下の実施例に限定されるものではない。
【実施例１】
【００８８】
図１は、本発明の画像データ送受信システムの実施例１の説明図である。
図１において、実施例１の画像データ送受信システムＳは、ユーザが携帯可能な携帯端末としての携帯電話１を有する。前記携帯電話１は、携帯電話ネットワーク２を介して携帯電話事業者のデータ通信装置３と接続している。そして、前記データ通信装置３は、専用線４やインターネット６を介して、地図データ配信用サーバ７やその他の情報配信業者（コンテンツプロバイダ、アプリケーションサービスプロバイダ）の情報配信サーバ８に接続されている。
【００８９】
前記携帯電話１は、表示画像が表示される情報表示画面１１や、ユーザが各種入力を行う入力キー１２を有し、内部にプログラム等が記録された記憶装置（記録媒体）を備えている。なお、実施例１の携帯電話１は、携帯電話の現在位置を三次元側位可能なＧＰＳ（Global  Positioning  System、全地球無線側位システム）装置を内蔵している。
また、前記地図データ配信用サーバ７も、サーバ本体１６及びディスプレイ（図示せず）、キーボードやマウス等の入力装置（図示せず）、ハードディスクドライブ（記録媒体、図示せず）、ＣＤドライブ等の光学ドライブ（記録媒体、図示せず）等を有している。
【００９０】
（携帯電話１の制御部の説明）
図２は前記図１に示す画像データ送受信システムの携帯端末の機能をブロック図（機能ブロック図）で示した図である。
図２において、携帯電話１のコントローラＫＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ、記録媒体）、必要なデータを一時的に記憶するためのＲＡＭ（ランダムアクセスメモリ）、ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００９１】
（携帯電話のコントローラＫＣに接続された信号入力要素）
前記携帯電話１のコントローラＫＣは、前記入力キー１２やＧＰＳ装置やその他の信号入力要素からの信号が入力されている。
前記入力キー１２は、ユーザによりそれらが入力されたことを検出して、その検出信号をコントローラＫＣに入力する。
前記ＧＰＳ装置は、側位開始の入力信号に応じて、衛星から発射された時刻信号の電波の到達時間等から地球上の携帯電話１の位置を側位し、側位結果をコントローラＫＣに入力する。
【００９２】
（携帯電話のコントローラＫＣに接続された制御要素）
また、携帯電話１のコントローラＫＣは、液晶駆動回路ＫＤ１、ＧＰＳ駆動回路ＫＤ２や図示しない電源回路、その他の制御要素に接続されており、それらの作動制御信号を出力している。
前記液晶駆動回路ＫＤ１は、液晶表示パネルの表示用電極のオン・オフを制御して情報表示画面１１に表示画像を表示する。
前記ＧＰＳ駆動回路ＫＤ２は、前記ＧＰＳ装置に側位開始の信号を出力して駆動する。
【００９３】
（携帯電話のコントローラＫＣの機能）
携帯電話１のコントローラＫＣは、ナビゲーションソフト等の地図表示用アプリケーションプログラムＡＰ１、通話制御プログラムＡＰ２や、その他のプログラム等を有しており、前記各信号出力要素からの出力信号に応じた処理を実行して、前記各制御要素に制御信号を出力する機能（制御手段）を有している。前記コントローラＫＣの地図表示用アプリケーションプログラムＡＰ１の機能（制御手段）を次に説明する。なお、前記通話制御プログラムＡＰ２は、携帯電話１の通話を制御するプログラムであり、従来公知の種々の技術を採用可能であるため、詳細な説明は省略する。
【００９４】
ＫＣ１：解像度関連情報記憶手段
解像度関連情報記憶手段ＫＣ１は、前記情報表示画面１１の解像度に関連する解像度関連情報を記憶する。実施例１の解像度関連情報記憶手段ＫＣ１は、前記解像度関連情報として、情報表示画面１１の水平方向のドット数Ｘ（例えば、３２０ドット）を記憶している。なお、前記解像度関連情報として、画素数（１００万画素等）や、情報表示画面の鉛直方向のドット数Ｙ（２４０ドット等）、解像度（７２ｄｐｉ（dot  per  inch）等）、解像度の分類（ＶＧＡ、ＱＶＧＡ等）等の解像度に関連した情報を使用することも可能である。
【００９５】
ＫＣ２：端末側シンボル画像データ記憶手段
端末側シンボル画像データ記憶手段ＫＣ２は、情報表示画面１１に表示する地図画像（表示画像）を作成する際に使用され且つ、地図画像の一部を形成する特定の図形であるシンボル画像（地図記号画像等）のデータ（シンボル画像データ）を記憶する。実施例１のシンボル画像データは、地図記号画像だけでなく、例えば、特定の系列のガソリンスタンドを示す画像や、フランチャイズのコンビニエンスストア、レストラン、系列の銀行等を区別する画像も含んでいる。また、実施例１の端末側シンボル画像データ記憶手段ＫＣ２は、前記シンボル画像データとして、地図記号画像等のデータに加え、道路や線路等を示す画像データであるパレット画像データを記憶する。なお、前記地図記号画像等に加え、地図画像上に表示されるアイコンの画像（アイコン画像）を記憶することも可能である。
なお、地図データ配信用サーバ７から送信されたシンボル画像データ（地図記号画像データ及びパレット画像データ）を携帯電話１が受信した場合は、端末側シンボル画像データ記憶手段ＫＣ２は受信したシンボル画像データを記憶し、シンボル画像データを更新する。
【００９６】
ＫＣ３：端末側画像データ識別情報記憶手段
端末側画像データ識別情報記憶手段ＫＣ３は、前記端末側シンボル画像データ記憶手段ＫＣ２に記憶された前記シンボル画像データの識別情報である端末側画像データ識別情報を記憶する。実施例１の端末側画像データ識別情報記憶手段ＫＣ３は、前記端末側画像データ識別情報としてシンボル画像データのバージョン情報（バージョン「１．１」等）を記憶している。なお、端末側画像データ識別情報として、シンボル画像データを更新した日時を示す更新日時データ（２００３年１０月０１日や２００３／１０／０１等）や、シリアルナンバー等の任意の識別情報を使用することが可能である。なお、前記シンボル画像データが更新された場合、端末側画像データ識別情報は、前記シンボル画像データと共に送信されるシンボル画像データ識別情報に更新される。
【００９７】
ＫＣ４：シンボル画像データ最新判別手段
シンボル画像データ最新判別手段ＫＣ４は、地図データ配信用サーバ７から送信されたサーバ側画像データ識別情報（サーバ７に記憶されたシンボル画像データの識別情報）と、前記端末側画像データ識別情報とに基づいて、前記携帯電話１に記憶されたシンボル画像データが最新であるか否かを判別する。実施例１のシンボル画像データ最新判別手段ＫＣ４は、前記バージョン情報の数値が、同値であるか否かによって判別している。即ち、サーバ側のシンボル画像データが常に最新であり、更新後のバージョン情報の数値が更新前のバージョン情報よりも常に大きい場合、前記バージョン情報の数値が同値であれば、携帯端末１のシンボル画像データが最新であると判別でき、バージョン情報の数値が同値でなければ（即ち、端末側画像データ識別情報が小さな数値であれば）、携帯端末１のシンボル画像データが最新ではないと判別できる。
【００９８】
ＫＣ５：地図画像作成手段
地図画像作成手段ＫＣ５は、地図画像回転制御手段ＫＣ５Ａと、地図画像拡大・縮小制御手段ＫＣ５Ｂとを有し、地図データ配信用サーバ７から送信された地図情報と、地図記号画像（シンボル画像データ）とに基づいて、情報表示画面１１に表示する地図画像を作成する。なお、実施例１の地図情報は、地図記号画像またはパレット画像を特定する情報（シンボル画像特定情報）と、前記地図記号画像を配置する位置またはパレット画像により描画する範囲を特定する情報（位置情報）とを有する地図情報（所謂、ベクタ地図データ）により構成されている。
ＫＣ５Ａ：地図画像回転制御手段
地図画像回転制御手段ＫＣ５Ａは、前記入力キー１２によるユーザの入力に応じて、地図画像を回転させる。実施例１の地図画像回転制御手段ＫＣ５Ａは、ユーザの入力に応じて、回転後の地図画像を作成する。
【００９９】
ＫＣ５Ｂ：地図画像拡大・縮小制御手段
地図画像拡大・縮小制御手段ＫＣ５Ｂは、前記入力キー１２によるユーザの入力に応じて、地図画像を拡大・縮小させる。実施例１の地図画像拡大・縮小制御手段ＫＣ５Ｂは、ユーザの入力に応じて、拡大または縮小後の地図画像を作成する。
ＫＣ６：液晶駆動回路制御手段
液晶駆動回路制御手段ＫＣ６は、前記液晶駆動回路ＫＤ１を介して、前記地図画像作成手段ＫＣ５で作成した地図画像を前記情報表示画面１１に表示する。
【０１００】
図３は実施例１の携帯電話の情報表示画面に表示される探索条件入力画像の一例である。
ＫＣ７：探索条件入力画面表示手段
探索条件入力画面表示手段ＫＣ７は、ナビゲーションソフト（地図表示用アプリケーションプログラム）起動時に、ユーザが探索したい経路の条件（出発地や目的地等）を入力するための探索条件入力画像（図３参照）を前記情報表示画面１１に表示する。図３に示す実施例１の探索条件入力画像には、出発地、目的地、出発日時または到着日時、経路探索数、利用交通手段の各条件を入力する欄と、入力した各条件を地図データ配信用サーバ７へ送信する探索開始アイコンとを有している。
【０１０１】
ＫＣ８：探索条件記憶手段
探索条件記憶手段ＫＣ８は、前記探索条件入力画像（図３参照）へのユーザの入力により設定された各条件を記憶する。
ＫＣ９：ＧＰＳ制御手段
ＧＰＳ制御手段ＫＣ９は、ＧＰＳ駆動回路を介してＧＰＳ装置の駆動を制御して、所定の入力信号または所定の時間間隔で携帯電話１の現在位置をＧＰＳ装置により計測する。即ち、情報表示画面１１に表示された地図画像によりナビゲーションを実行している間は所定の時間間隔（例えば、５秒間隔）で側位し、探索条件をサーバに送信する際に探索条件の出発地入力欄が「ＧＰＳ」に設定されている場合には、ＧＰＳにより携帯電話１の現在位置を側位して現在位置の情報もサーバに送信する。
【０１０２】
ＫＣ１０：端末側データ送信手段
端末側データ送信手段ＫＣ１０は、識別情報送信要求情報送信手段ＫＣ１０Ａと、シンボル画像データ送信要求情報送信手段ＫＣ１０Ｂと、探索条件データ送信手段ＫＣ１０Ｃとを有し、前記地図データ配信用サーバ７に対し所定のデータを送信する。
ＫＣ１０Ａ：識別情報送信要求情報送信手段
識別情報送信要求情報送信手段ＫＣ１０Ａは、情報表示画面１１に表示する画像を作成する前に、地図データ配信用サーバ７に対して、このサーバ７が記憶するシンボル画像データの識別情報であるサーバ側画像データ識別情報を送信するように要求するサーバ側画像データ識別情報送信要求情報を送信する。実施例１の識別情報送信要求情報送信手段ＫＣ１０Ａは、ナビゲーションソフト起動時に前記サーバ側画像データ識別情報送信要求情報をサーバ７に送信する。
【０１０３】
ＫＣ１０Ｂ：シンボル画像データ送信要求情報送信手段
シンボル画像データ送信要求情報送信手段ＫＣ１０Ｂは、前記サーバに対し、前記サーバが記憶する前記シンボル画像データを送信するように要求するシンボル画像データ送信要求情報と、前記解像度関連情報とを送信する。実施例１のシンボル画像データ送信要求情報送信手段ＫＣ１０Ｂは、前記シンボル画像データ最新判別手段ＫＣ４で携帯電話１に記憶されたシンボル画像データが最新でない場合に、前記サーバに対し、シンボル画像データ送信要求情報に加え、前記解像度関連情報を送信する。
【０１０４】
ＫＣ１０Ｃ：探索条件データ送信手段
探索条件データ送信手段ＫＣ１０Ｃは、前記探索条件入力画像において、探索開始アイコンが選択された場合に、前記探索条件記憶手段ＫＣ８に記憶された探索条件（出発地や目的地等の探索条件）のデータと、前記探索条件に応じた地図情報を送信する用に要求する地図情報送信要求情報を地図データ配信用サーバ７に対して送信する。なお、実施例１の探索条件データ送信手段ＫＣ１０Ｃは、ＧＰＳを利用してナビゲーション実行中に、携帯電話１が移動し、携帯電話１に記憶された地図画像の範囲外になりそうになると、携帯電話１の現在位置のデータ（探索条件データ）と、地図情報送信要求情報をサーバ７に随時送信する。なお、実施例１では、現在位置を中心として前記地図画像作成手段ＫＣ５で作成可能な地図画像が、情報表示画面１１の大きさよりも小さくなる場合に範囲外になったと判別できる。
【０１０５】
ＫＣ１１：端末側データ受信手段
端末側データ受信手段ＫＣ１１は、サーバ側画像データ識別情報受信手段ＫＣ１１Ａと、シンボル画像データ受信手段ＫＣ１１Ｂと、地図情報受信手段ＫＣ１１Ｃとを有し、前記地図データ配信用サーバ７から送信されたデータを受信し、記憶する。
ＫＣ１１Ａ：サーバ側画像データ識別情報受信手段
サーバ側画像データ識別情報受信手段ＫＣ１１Ａは、前記サーバ側画像データ識別情報送信要求情報に対する応答として、地図データ配信用サーバ７から送信された前記サーバ側画像データ識別情報を受信する。
【０１０６】
ＫＣ１１Ｂ：シンボル画像データ受信手段
シンボル画像データ受信手段ＫＣ１１Ｂは、前記シンボル画像データ送信要求情報に対する応答として、地図データ配信用サーバ７から送信された前記シンボル画像データを受信する。
ＫＣ１１Ｃ：地図情報受信手段
地図情報受信手段ＫＣ１１Ｃは、探索条件データに対する応答として、地図データ配信用サーバ７から送信された地図情報（ベクタ地図データ）を受信する。なお、実施例１の地図情報受信手段ＫＣ１１Ｃが受信して記憶する地図情報は、特開２００３−２１４８６０号公報記載の技術と同様に、単位地図データにより構成されている。
【０１０７】
（地図データ配信用サーバ７の制御部の説明）
図４は前記図１に示す画像データ送受信システムのサーバの機能をブロック図（機能ブロック図）で示した図である。
図４において、地図データ配信用サーバ７のコントローラＳＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ、ハードディスク等の記録媒体）、必要なデータを一時的に記憶するためのＲＡＭ（ランダムアクセスメモリ）、ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【０１０８】
（サーバのコントローラＳＣに接続された信号入力要素）
前記地図データ配信用サーバ７のコントローラＳＣは、キーボードやマウス等の入力装置やその他の信号入力要素からの信号が入力されている。
前記入力装置は、ユーザによりそれらが入力されたことを検出して、その検出信号をコントローラＳＣに入力する。
【０１０９】
（サーバのコントローラＳＣに接続された制御要素）
また、地図データ配信用サーバ７のコントローラＳＣは、ディスプレイや図示しない電源回路、その他の制御要素に接続されており、それらの作動制御信号を出力している。
前記ディスプレイには、ユーザの操作に応じた表示画像が表示される。
【０１１０】
（サーバのコントローラＳＣの機能）
地図データ配信用サーバ７のコントローラＳＣは、携帯電話１のナビゲーションソフト（地図表示用アプリケーションプログラムＡＰ１）から送信された各データの処理を行う地図データ配信用アプリケーションプログラムＡＰ３や、その他のプログラム等を有しており、前記各信号出力要素等からの出力信号に応じた処理を実行して、前記各制御要素等に制御信号を出力する機能（制御手段）を有している。次に、前記コントローラＳＣの地図データ配信用アプリケーションプログラムＡＰ３の機能（制御手段）を説明する。
【０１１１】
ＳＣ１：サーバ側データ受信手段
サーバ側データ受信手段ＳＣ１は、サーバ側画像データ識別情報送信要求情報受信手段ＳＣ１Ａと、シンボル画像データ送信要求情報受信手段ＳＣ１Ｂと、探索条件データ受信手段ＳＣ１Ｃとを有し、前記携帯電話１から送信された情報・データを受信し、記憶する。
ＳＣ１Ａ：サーバ側画像データ識別情報送信要求情報受信手段
サーバ側画像データ識別情報送信要求情報受信手段ＳＣ１Ａは、前記携帯電話１から送信されたサーバ側画像データ識別情報送信要求情報を受信する。
【０１１２】
ＳＣ１Ｂ：シンボル画像データ送信要求情報受信手段
シンボル画像データ送信要求情報受信手段ＳＣ１Ｂは、前記携帯電話１から送信された前記シンボル画像データ送信要求情報及び解像度関連情報を受信する。
ＳＣ１Ｃ：探索条件データ受信手段
探索条件データ受信手段ＳＣ１Ｃは、前記携帯電話１から送信された前記探索条件データを受信する。
【０１１３】
ＳＣ２：サーバ側シンボル画像データ更新手段
サーバ側シンボル画像データ更新手段ＳＣ２は、サーバ側シンボル画像データ記憶手段ＳＣ２Ａと、サーバ側画像データ識別情報記憶手段ＳＣ２Ｂとを有し、入力装置による入力やＣＤ等の記録媒体に記録されたデータ、あるいはネットワーク経由でシンボル画像データ及び画像データ識別情報を更新する。
【０１１４】
ＳＣ２Ａ：サーバ側シンボル画像データ記憶手段
サーバ側シンボル画像データ記憶手段ＳＣ２Ａは、前記携帯端末の前記情報表示画面の解像度に応じた複数の前記シンボル画像データを記憶する。実施例１のサーバ側シンボル画像データ記憶手段ＳＣ２Ａは、携帯電話１の情報表示画面１１の水平方向のドット数Ｘに対応して、高解像度用シンボル画像データ、中解像度用シンボル画像データ及び低解像度用シンボル画像データをそれぞれ記憶している。なお、実施例１の高解像度用シンボル画像データの地図記号画像は、それぞれ３２ドット×３２ドットで作成され、中解像度用シンボル画像データの地図記号画像は２０ドット×２０ドット、低解像度用シンボル画像データの地図記号画像は１２ドット×１２ドットでそれぞれ作成されている。
【０１１５】
ＳＣ２Ｂ：サーバ側画像データ識別情報記憶手段
サーバ側画像データ識別情報記憶手段ＳＣ２Ｂは、前記サーバ側シンボル画像データ記憶手段ＳＣ２Ａに記憶されたシンボル画像データの識別情報であるサーバ側画像データ識別情報を記憶する。実施例１のサーバ側画像データ識別情報記憶手段ＳＣ２Ｂに記憶されたサーバ側画像データ識別情報は、端末側画像データ識別情報と同様に、バージョン情報により構成されている。
【０１１６】
ＳＣ３：端末解像度判別手段
端末解像度判別手段ＳＣ３は、受信した前記解像度関連情報に基づいて、前記携帯端末に送信するシンボル画像データを判別する。実施例１の端末解像度判別手段ＳＣ３は、前記解像度関連情報に基づいて、携帯電話１の情報表示画面１１の解像度が、高解像度（水平方向のドット数Ｘが４００ドット以上）であるか、中解像度（２００≦ドット数Ｘ＜４００）であるか、または低解像度（２００ドット未満）であるかを判別し、判別した解像度に応じて送信するシンボル画像データを判別する。
【０１１７】
ＳＣ４：探索条件応答地図情報作成手段
探索条件応答地図情報作成手段ＳＣ４は、携帯電話１から送信された探索条件に対応した地図情報（ベクタ地図データ）を作成する。実施例１の探索条件応答地図情報作成手段ＳＣ４は、従来公知の探索条件に応じてナビゲーションする経路を探索し（例えば、特開２００３−２１４８６０号公報等参照）、探索した経路に対応する範囲の地図情報を、地図データ配信用サーバ７または他の情報配信サーバ８から読み込む。
【０１１８】
ＳＣ５：サーバ側データ送信手段
サーバ側データ送信手段ＳＣ５は、サーバ側画像データ識別情報送信手段ＳＣ５Ａと、シンボル画像データ送信手段ＳＣ５Ｂと、地図情報送信手段ＳＣ５Ｃとを有し、携帯電話１に対して所定のデータ（情報）を送信する。
ＳＣ５Ａ：サーバ側画像データ識別情報送信手段
サーバ側画像データ識別情報送信手段ＳＣ５Ａは、サーバ側画像データ識別情報送信要求情報を受信した場合に、前記サーバ側画像データ識別情報を送信する。
【０１１９】
ＳＣ５Ｂ：シンボル画像データ送信手段
シンボル画像データ送信手段ＳＣ５Ｂは、前記端末解像度判別手段ＳＣ３によって判別された前記携帯電話１の解像度に応じたシンボル画像データを送信する。即ち、前記携帯電話１の解像度が高解像度と判別された場合には、高解像度用シンボル画像データが送信され、低解像度と判別された場合には、低解像度用シンボル画像データが送信される。
ＳＣ５Ｃ：地図情報送信手段
地図情報送信手段ＳＣ５Ｃは、前記シンボル画像（地図記号画像またはパレット画像）を特定するシンボル画像特定情報と、特定された前記シンボル画像を配置する位置または範囲を特定する位置情報とを有する地図情報（ベクタ地図データ）を前記携帯電話１に送信する。
【０１２０】
（フローチャートの説明）
（携帯端末のメインフローチャートの説明）
図５は実施例１の画像データ送受信システムの携帯端末が備えている地図表示用アプリケーションプログラムのメインフローチャートである。
図５のフローチャートの各ＳＴ（ステップ）の処理は、前記コントローラＫＣのＲＯＭ等に記憶された地図表示用アプリケーションプログラムＡＰ１に従って行われる。また、この処理は携帯電話１の他の各種処理と並行して実行される。
図５に示すフローチャートは携帯電話１の電源オンにより開始される。
【０１２１】
図５のＳＴ１において、ナビゲーションソフト（地図表示用アプリケーションプログラムＡＰ１）が起動されたか否かを判別する。イエス（Ｙ）の場合はＳＴ２に移り、ノー（Ｎ）の場合はＳＴ１を繰り返す。
ＳＴ２において、携帯電話１のシンボル画像データが最新であるか否か（即ち、サーバ７に記憶されたシンボル画像データが更新されていないか否か）を判別し、最新でない場合にサーバ７からシンボル画像データを受信するシンボル画像データ送受信処理（後述する図６のサブルーチン参照）を実行する。そして、ＳＴ３に移る。
【０１２２】
ＳＴ３において、図３に示す探索条件入力画像（メイン画面）を情報表示画面１１に表示する。そして、ＳＴ４に移る。
ＳＴ４において、ユーザの入力により、前記探索条件表示画面に探索条件が入力され、探索開始のアイコンが選択されたか否かを判別する。イエス（Ｙ）の場合はＳＴ５に移り、ノー（Ｎ）の場合はＳＴ４を繰り返す。
ＳＴ５において、入力された探索条件データを地図データ配信用サーバ７に送信する。そして、ＳＴ６に移る。
ＳＴ６において、地図データ配信用サーバ７に送信した探索条件データに対する応答である探索条件応答データ（即ち、地図情報）を受信したか否かを判別する。イエス（Ｙ）の場合はＳＴ７に移り、ノー（Ｎ）の場合はＳＴ６を繰り返す。
【０１２３】
ＳＴ７において、受信した地図情報と、端末側シンボル画像データ記憶手段ＫＣ２に記憶されたシンボル画像とに基づいて地図画像を作成し、情報表示画面１１に表示する。そして、ＳＴ８に移る。
ＳＴ８において、地図画像の回転を指定する入力があったか否かを判別する。ノー（Ｎ）の場合はＳＴ９に移り、イエス（Ｙ）の場合はＳＴ１０に移る。
ＳＴ９において、地図画像の拡大・縮小を指定する入力があったか否かを判別する。イエス（Ｙ）の場合はＳＴ１０に移り、ノー（Ｎ）の場合はＳＴ１１に移る。
ＳＴ１０において、ＳＴ８またはＳＴ９におけるユーザの入力に応じて、回転後の地図画像または拡大・縮小後の地図画像を、地図情報及びシンボル画像データに基づいて作成し、情報表示画面１１に表示する。そして、ＳＴ８に戻る。
【０１２４】
ＳＴ１１において、入力キー１２によって、ナビゲーションソフト（地図表示用アプリケーションプログラムＡＰ１）を終了する入力があったか否かを判別する。ノー（Ｎ）の場合はＳＴ１２に移り、イエス（Ｙ）の場合はＳＴ１に戻る。
ＳＴ１２において、入力キー１２によって、探索条件を再入力する指定入力があったか否かを判別する。イエス（Ｙ）の場合はＳＴ３に戻って探索条件入力画像を情報表示画面１１に表示する。ノー（Ｎ）の場合はＳＴ８に戻る。
【０１２５】
（シンボル画像データ送受信処理（ＳＴ２のサブルーチン）のフローチャートの説明）
図６は実施例１の携帯端末のシンボル画像データ送受信処理のフローチャートであり、前記図５のＳＴ２のサブルーチンのフローチャートである。
図６のＳＴ２１において、サーバ側画像データ識別情報の送信を要求する識別情報送信要求情報を、地図データ配信用サーバ７に対して送信する。そして、ＳＴ２２に移る。
ＳＴ２２において、サーバ側画像データ識別情報を受信したか否かを判別する。イエス（Ｙ）の場合はＳＴ２３に移り、ノー（Ｎ）の場合はＳＴ２２を繰り返す。
【０１２６】
ＳＴ２３において、受信したサーバ側画像データ識別情報が、端末側画像データ識別情報記憶手段ＫＣ３に記憶された端末側画像データ識別情報よりも新しいか否かを判別する。即ち、端末側のバージョン情報がサーバ側のバージョン情報と同値であるか否かを判別する。イエス（Ｙ）の場合（同値でない場合）はＳＴ２４に移り、ノー（Ｎ）の場合（同値の場合）は図６のシンボル画像データ送受信処理を終了して図５の前記ＳＴ３に移る。
【０１２７】
ＳＴ２４において、シンボル画像データ送信要求情報と、解像度関連情報とを、地図データ配信用サーバ７に対して送信する。そしてＳＴ２５に移る。
ＳＴ２５において、携帯電話１の情報表示画面１１の解像度に応じて地図データ配信用サーバ７から送信されたシンボル画像データ（地図記号画像データ及びパレット画像データ）の受信が完了したか否かを判別する。ノー（Ｎ）の場合はＳＴ２５を繰り返し、イエス（Ｙ）の場合は図６のシンボル画像データ送受信処理を終了して図５の前記ＳＴ３に移る。
【０１２８】
（サーバのメインフローチャートの説明）
図７は実施例１の画像データ送受信システムのサーバが備えている地図データ配信用アプリケーションプログラムＡＰ３のメインフローチャートである。
図７のフローチャートの各ＳＴ（ステップ）の処理は、サーバ７のコントローラＳＣのＲＯＭ等に記憶された地図データ配信用アプリケーションプログラムＡＰ３に従って行われる。また、この処理はサーバ７の他の各種処理と並行して実行される。
図７に示すフローチャートはサーバ７の地図データ配信用アプリケーションプログラムＡＰ３の起動により開始される。
【０１２９】
図７のＳＴ３１において、携帯電話１から送信された識別情報送信要求情報（前記図６のＳＴ２１参照）を受信したか否かを判別する。イエス（Ｙ）の場合はＳＴ３２に移り、ノー（Ｎ）の場合はＳＴ３３に移る。
ＳＴ３２において、識別情報送信要求情報に対する応答であるサーバ側画像データ識別情報を送信する。そして、ＳＴ３１に戻る。
【０１３０】
ＳＴ３３において、携帯電話１から送信されたシンボル画像データ送信要求情報（前記図６のＳＴ２４参照）を受信したか否かを判別する。イエス（Ｙ）の場合はＳＴ３４に移り、ノー（Ｎ）の場合はＳＴ３９に移る。
ＳＴ３４において、シンボル画像データ送信要求情報と同時に受信した解像度関連情報としての水平方向のドット数Ｘの値が４００以上か否かを判別する。イエス（Ｙ）の場合はＳＴ３５に移り、ノー（Ｎ）の場合はＳＴ３６に移る。
ＳＴ３５において、携帯電話１の情報表示画面１１の解像度が高解像度（４００ドット以上）であるので、高解像度用シンボル画像データを携帯電話１に対して送信する。そして、ＳＴ３１に戻る。
【０１３１】
ＳＴ３６において、前記水平方向のドット数Ｘの値が２００以上であるか否かを判別する。イエス（Ｙ）の場合はＳＴ３７に移り、ノー（Ｎ）の場合はＳＴ３８に移る。
ＳＴ３７において、携帯電話１の情報表示画面１１の解像度が中解像度（２００ドット〜４００ドット）であるので、中解像度用シンボル画像データを携帯電話１に対して送信する。そして、ＳＴ３１に戻る。
ＳＴ３８において、携帯電話１の情報表示画面１１の解像度が低解像度（２００ドット未満）であるので、低解像度用シンボル画像データを携帯電話１に対して送信する。そして、ＳＴ３１に戻る。
【０１３２】
ＳＴ３９において、携帯電話１から送信された探索条件データ（前記図５のＳＴ５参照）を受信したか否かを判別する。イエス（Ｙ）の場合はＳＴ４０に移り、ノー（Ｎ）の場合はＳＴ３１に戻る。
ＳＴ４０において、次の処理（１）、（２）を実行し、ＳＴ３１に戻る。
（１）探索条件に応じた地図情報（ベクタ地図データ）を作成する。
（２）探索条件応答データとして、作成した地図情報を探索条件データを送信した携帯電話１に対して送信する。
【０１３３】
（実施例１の作用）
前記構成を備えた実施例１の画像データ送受信システムＳでは、ナビゲーションソフト起動時に、携帯電話１に記憶されているシンボル画像データが最新のものであるか否かが判別される。そして、最新でない場合には、携帯電話１の情報表示画面１１の解像度に関連する解像度関連情報が送信され、解像度に応じたシンボル画像データがサーバ７から送信される。そして、ユーザの入力した探索条件に応じた地図情報をサーバ７から受信した場合、地図情報と、最新のシンボル画像データとに基づいて地図画像が作成される。
【０１３４】
図８は実施例１の携帯端末の情報表示画面に表示される地図画像の一例である。
例えば、前記サーバ７から送信された地図情報に、信号機を示す地図記号画像を単位地図の中央上部の特定の座標に表示する情報が含まれ、道路を示すパレット画像データを単位地図の上端から下端及び右上端から左端に配置し、単位地図の中央上部に地下道を示すパレット画像データを配置する等の情報が含まれている場合、図８に示すような地図画像データが作成される。図８に示す地図画像データには、地下道への出入り口を示す画像（図８において「Ｂ５」、「Ｂ７」の画像）や、町名や番地名を示す画像も前記地図情報に含まれ、作成された地図画像にも表示される。
【０１３５】
図９は実施例１のシンボル画像データの一例としての、信号機を示す画像の説明図であり、図９Ａは中解像度用シンボルデータの一例の信号機を示す画像の説明図、図９Ｂは低解像度用シンボルデータの一例の信号機を示す画像の説明図である。
図１０は実施例１のシンボル画像データを情報表示画面で表示した場合の説明図であり、図１０Ａは低解像度の携帯端末で低解像度用シンボル画像データを表示した場合の説明図、図１０Ｂは中解像度の携帯端末で低解像度用シンボル画像データを表示した場合の説明図、図１０Ｃは中解像度の携帯端末で中解像度用シンボル画像を表示した場合の説明図である。
【０１３６】
図９において、実施例１のサーバ７に記憶されている地図記号画像は、中解像度用の信号機の地図記号画像は図９Ａに示すように２０ドット×２０ドットで作成されており、低解像度用の信号機の地図記号画像は図９Ｂに示すように１２ドット×１２ドットで作成されている。
図１０Ａに示すように、低解像度の情報表示画面１１で所定の大きさで表示されるように作成された低解像度用の信号機の地図記号画像（１２ドット×１２ドット）を、中解像度の情報表示画面１１を備えた携帯電話１でも表示する従来技術では、中解像度の情報表示画面１１の１ドットのサイズが低解像度の情報表示画面１１より小さいので（細かいので）、図１０Ｂに示すように地図記号画像が小さくなり見づらくなる。
【０１３７】
これに対し、実施例１の画像データ送受信システムＳでは、中解像度用の情報表示画面１１に中解像度用の地図記号画像を表示するので、図１０Ｃに示すように、表示された地図記号画像の全体のサイズは、低解像度の情報表示画面１１に低解像度用の地図記号画像を表示した場合と同様となり見づらくなることはない。その上、ドットが細かいので、地図記号画像を含む地図画像が高精細となる。
【０１３８】
したがって、実施例１の画像データ送受信システムＳでは、携帯電話１の情報表示画面１１に表示される地図画像が作成される際に、解像度に応じたシンボル画像データ（地図記号画像データおよびパレット画像データ）が使用される。この結果、情報表示画面１１の解像度に応じて適切な大きさのシンボル画像が配置された地図画像を情報表示画面１１に表示することができる。したがって、高解像度の情報表示画面１１に従来の低解像度のシンボル画像データを表示することによって、地図画像（表示画像）が小さくなりすぎてユーザが見づらいという問題を解消できる。また、解像度に応じて適切な大きさのシンボル画像が使用されるので、低解像度の情報表示画面１１に中解像度用のシンボル画像データや高解像度用のシンボル画像データが表示されて、シンボル画像が大きく表示され、逆に地図画像が見づらくなるという問題も防止できる。
【０１３９】
さらに、実施例１の画像データ送受信システムＳでは、携帯電話１のシンボル画像データ最新判別手段ＫＣ４によって、携帯電話１の端末側シンボル画像データ記憶手段ＫＣ２に記憶された前記シンボル画像データが最新であるか否かが判別される。そして、サーバ側シンボル画像データ記憶手段ＳＣ２Ａに記憶されたシンボル画像データの更新等により、携帯電話１のシンボル画像データが最新でない場合のみ、シンボル画像データがサーバ７から携帯電話１に送信される。この結果、最新であるか否かを判別せず毎回シンボル画像データを送受信する場合と比較して、送受信するデータ量を低減することができ、通信コストの低減及び通信の混雑を防止できる。また、携帯電話１で、シンボル画像データが最新であるか否かの判別ができるので、サーバ７にかかる負荷を低減することもできる。
【０１４０】
また、実施例１の画像データ送受信システムＳでは、携帯電話１において、地図データ配信用サーバ７から送信された地図情報（ベクター地図データ）に基づいて地図画像を作成する。したがって、地図画像を回転、拡大、縮小しても、回転等した後の地図画像も解像度に応じた地図記号画像で作成される。したがって、地図画像を回転させても、地図記号画像が情報表示画面１１に対して傾斜して表示されることを防止でき、ユーザが見やすい画像を表示できる。また、地図画像を拡大・縮小しても、拡大・縮小後の地図画像の地図記号画像が拡大・縮小されず、解像度に応じた適切な地図記号画像が地図画像に表示される。したがって、地図画像が見づらくなることを防止できる。
【実施例２】
【０１４１】
次に、本発明の実施例２の画像データ送受信システムの説明を行うが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【０１４２】
（携帯電話１の制御部の説明）
図１１は実施例２の画像データ送受信システムの携帯端末の機能をブロック図（機能ブロック図）で示した図であり、実施例１の図２に対応する図である。
図１１において、実施例２の携帯電話１のコントローラＫＣ′の地図表示用アプリケーションプログラムＡＰ１′は、実施例１の地図表示用アプリケーションプログラムＡＰ１と比較して、シンボル画像データ最新判別手段ＫＣ４が省略されている。また、端末側データ送信手段ＫＣ１０の識別情報送信要求情報送信手段ＫＣ１０Ａおよび端末側データ受信手段ＫＣ１０のサーバ側画像データ識別情報受信手段ＫＣ１１Ａも省略されている。
【０１４３】
さらに、実施例２の端末側データ受信手段ＫＣ１１は、データ最新告知情報受信手段ＫＣ１１Ｄを有している。
ＫＣ１１Ｄ：データ最新告知情報受信手段
データ最新告知情報受信手段ＫＣ１１Ｄは、前記端末側シンボル画像データ記憶手段に記憶されたシンボル画像データが最新であることを示すデータ最新告知情報を受信する。
なお、実施例２のシンボル画像データ送信要求情報送信手段ＫＣ１０Ｂは、シンボル画像データ送信要求情報と、解像度関連情報に加え、端末側画像データ識別情報を送信する。
【０１４４】
（地図データ配信用サーバ７の制御部の説明）
図１２は実施例２の画像データ送受信システムのサーバの機能をブロック図（機能ブロック図）で示した図であり、実施例１の図４に対応する図である。
図１２において、実施例２のサーバ７のコントローラＳＣ′の地図データ配信用アプリケーションプログラムＡＰ３′は、実施例１の地図データ配信用アプリケーションプログラムＡＰ３と比較して、サーバ側データ受信手段ＳＣ１のサーバ側画像データ識別情報送信要求情報受信手段ＳＣ１Ａが省略されている。また、サーバ側データ送信手段ＳＣ５のサーバ側画像データ識別情報送信手段ＳＣ５Ａも省略されている。
【０１４５】
そして、実施例２の地図データ配信用アプリケーションプログラムＡＰ３′は、サーバ側データ送信手段ＳＣ５のデータ最新告知情報送信手段ＳＣ５Ｄと、シンボル画像データ最新判別手段ＳＣ６とを有している。
なお、実施例２のシンボル画像データ送信要求情報受信手段ＳＣ１Ｂは、送信されたシンボル画像データ送信要求情報と、解像度関連情報に加え、前記２つの情報と同時に送信される前記端末側画像データ識別情報を受信する。
【０１４６】
ＳＣ６：シンボル画像データ最新判別手段
シンボル画像データ最新判別手段ＳＣ６は、受信した前記端末側画像データ識別情報と、前記サーバ側画像データ識別情報とに基づいて、前記携帯端末に記憶されたシンボル画像データが最新であるか否かを判別する。
ＳＣ５Ｄ：データ最新告知情報送信手段
データ最新告知情報送信手段ＳＣ５Ｄは、前記携帯電話１に記憶されたシンボル画像データが最新である場合に、前記携帯電話１に対して、携帯電話１のシンボル画像データが最新であることを告知するデータ最新告知情報を送信する。したがって、この場合、地図データ配信用サーバ７に記憶されたシンボル画像データは送信されない。
【０１４７】
なお、実施例２の端末解像度判別手段ＳＣ３は、前記携帯電話１に記憶されたシンボル画像データが最新ではないとシンボル画像データ最新判別手段ＳＣ６によって判別された場合に、受信した前記解像度関連情報に基づいて、携帯電話１に送信するシンボル画像データを判別する。
【０１４８】
（フローチャートの説明）
（携帯端末のフローチャートの説明）
次に、実施例２の携帯電話１のフローチャートの説明を行うが、実施例２の携帯電話１は、実施例１の携帯電話１の各処理に対して、シンボル画像データ送受信処理のみ異なり、地図表示用アプリケーションプログラムＡＰ１′のメインフローチャートは、実施例１のメインフローチャート（図５参照）と同様なので詳細な説明は省略する。
【０１４９】
（シンボル画像データ送受信処理）
図１３は実施例２の携帯端末のシンボル画像データ送受信処理のフローチャートであり、実施例１の図６に対応するサブルーチンのフローチャートである。
図１３のＳＴ２４′において、シンボル画像データ送信要求情報と、解像度関連情報と、端末側画像データ識別情報とが、携帯電話１から地図データ配信用サーバ７に送信される。そして、ＳＴ２５に移る。
【０１５０】
ＳＴ２５において、サーバ７から送信されたシンボル画像データの受信が完了したか否かを判別する。ノー（Ｎ）の場合はＳＴ２６に移り、イエス（Ｙ）の場合は図１３のシンボル画像データ送受信処理を終了して、図５の地図表示用アプリケーションプログラムのメインフローチャートに戻り、ＳＴ３に移る。
ＳＴ２６において、サーバ７から送信されたデータ最新告知情報を受信したか否かを判別する。ノー（Ｎ）の場合はＳＴ２５に戻り、イエス（Ｙ）の場合は図１３のシンボル画像データ送受信処理を終了して、図５の地図表示用アプリケーションプログラムのメインフローチャートに戻り、ＳＴ３に移る。
【０１５１】
（サーバのフローチャートの説明）
図１４は実施例２の画像データ送受信システムのサーバが備えている地図データ配信用アプリケーションプログラムのメインフローチャートであり、実施例１の図７に対応する図である。
次に、図１４を参照しながら実施例２の地図データ配信用サーバ７のメインフローチャートの説明を行うが、実施例１と同様の処理には、同一のＳＴ番号を付し、詳細な説明は省略する。
【０１５２】
図１４のＳＴ３３において、シンボル画像データ送信要求情報を受信したか否かを判別する。イエス（Ｙ）の場合はＳＴＳＴ４１に移り、ノー（Ｎ）の場合はＳＴ３９に移る。
ＳＴ４１において、端末側画像データ識別情報よりサーバ側画像データ識別情報が新しいか否かを判別する。即ち、端末側のバージョン情報の値が、サーバ側のバージョン情報と同値であるか否かを判別する。イエス（Ｙ）の場合（同値でない場合）はＳＴ４２に移り、ノー（Ｎ）の場合（同値である場合）はＳＴ３４に移る。
ＳＴ４２において、携帯電話１に記憶されているシンボル画像データが最新であるので、そのことを告知するデータ最新告知情報を携帯電話１に対して送信する。そして、ＳＴ３３に戻る。
【０１５３】
ＳＴ３４〜ＳＴ３８において、実施例１と同様に、解像度関連情報に基づいて携帯電話１の情報表示画面１１の解像度の判別処理を行い、解像度に対応するシンボル画像データを送信する。
ＳＴ３９〜ＳＴ４０において、実施例１と同様に、携帯電話１から送信された探索条件データに応じて地図情報（ベクタ地図データ）を作成し、送信する。
【０１５４】
（実施例２の作用）
前記構成を備えた実施例２の画像データ送受信システムＳでは、実施例１と異なり、携帯電話１に記憶されたシンボル画像データが最新であるか否かの判別を携帯電話１ではなく、サーバ７で実行している。この結果、携帯電話１での処理を軽減でき、判別処理をサーバで一括管理できる。その他、実施例２の画像データ送受信システムＳは、実施例１の画像データ送受信システムＳと同様の作用効果を奏する。
【実施例３】
【０１５５】
次に、本発明の実施例３の画像データ送受信システムＳの説明を行うが、この実施例３の説明において、前記実施例１、２の構成要素に対応する構成要素には同一の符号を付して、その詳細な説明を省略する。
この実施例３は、下記の点で前記実施例１、２と相違しているが、他の点では前記実施例１、２と同様に構成されている。
【０１５６】
（携帯電話１の制御部の説明）
図１５は実施例２の画像データ送受信システムの携帯端末の機能をブロック図（機能ブロック図）で示した図であり、実施例１の図２及び実施例２の図１１に対応する図である。
図１５において、実施例３の携帯電話１のコントローラＫＣ″の地図表示用アプリケーションプログラムＡＰ１″は、実施例２の地図表示用アプリケーションプログラムＡＰ１′と比較して、端末側シンボル画像データ記憶手段ＫＣ２と、端末側画像データ識別情報記憶手段ＫＣ３と、地図画像作成手段ＫＣ５と、端末側データ送信手段ＫＣ１０のシンボル画像データ送信要求情報送信手段ＫＣ１０Ｂと、端末側データ受信手段ＫＣ１１のシンボル画像データ受信手段ＫＣ１０Ｂと、データ最新告知情報受信手段ＫＣ１１Ｄとが省略されている。
【０１５７】
なお、実施例３の探索条件データ送信手段（表示画像データ送信要求情報送信手段）ＫＣ１０Ｃは、探索条件データを送信する際に、サーバ７に対し、実施例１、２のような地図情報（ベクタ地図データ）ではなく、前記情報表示画面に表示する表示画像（所謂、ラスタ画像、ビットマップ画像）を送信するように要求する表示画像データ送信要求情報と、解像度関連情報とを送信する。また、これに対応して、実施例３では、地図情報受信手段ＫＣ１１Ｃに替えて、地図画像データ受信手段（表示画像データ受信手段）ＫＣ１１Ｃ″が設けられており、地図情報（ベクタ地図データ）ではなく、表示画像のデータ（ラスタ画像データ）を受信する。
【０１５８】
（地図データ配信用サーバ７の制御部の説明）
図１６は実施例３の画像データ送受信システムのサーバの機能をブロック図（機能ブロック図）で示した図であり、実施例１の図４及び実施例２の図１２に対応する図である。
図１６において、実施例３のサーバ７のコントローラＳＣ″の地図データ配信用アプリケーションプログラムＡＰ３″は、実施例２の地図データ配信用アプリケーションプログラムＡＰ３′と比較して、サーバ側データ受信手段ＳＣ１のシンボル画像データ送信要求情報受信手段ＳＣ１Ｂが省略されている。
【０１５９】
また、サーバ側シンボル画像データ更新手段ＳＣ２のサーバ側画像データ識別情報記憶手段ＳＣ２Ａが省略されている。さらに、探索条件応答地図情報作成手段ＳＣ４に替えて、探索条件応答地図画像作成手段（表示画像作成手段）ＳＣ４″を有している。そして、サーバ側データ送信手段ＳＣ５のシンボル画像データ送信手段ＳＣ５Ｂ、地図情報送信手段ＳＣ５Ｃ、サーバ側データ送信手段ＳＣ５のデータ最新告知情報送信手段ＳＣ５Ｄが省略され、サーバ側データ送信手段ＳＣ５は、地図画像データ送信手段（表示画像データ送信手段）ＳＣ５Ｅを有している。そして、実施例３の探索条件データ受信手段（表示画像データ送信要求情報受信手段）ＳＣ１Ｃは、携帯電話１から送信される探索条件データと、探索条件データと同時に送信される前記表示画像データ送信要求情報及び解像度関連情報を受信する。
【０１６０】
ＳＣ４″：探索条件応答地図画像作成手段（表示画像作成手段）
探索条件応答地図画像作成手段ＳＣ４″は、前記端末解像度判別手段ＳＣ３によって判別された前記情報表示画面１１の解像度に応じた前記シンボル画像データを使用して、前記携帯端末の前記情報表示画面に表示される前記表示画像（ラスタ地図画像）を作成する。
ＳＣ５Ｅ：地図画像データ送信手段（表示画像データ送信手段）
地図画像データ送信手段ＳＣ５は、探索条件応答地図画像作成手段ＳＣ４″で作成した前記地図画像（表示画像）のデータである表示画像データを送信する。
【０１６１】
（フローチャートの説明）
（携帯端末のフローチャートの説明）
図１７は、実施例１の画像データ送受信システムの携帯端末が備えている地図表示用アプリケーションプログラムのメインフローチャートであり、実施例１の図５に対応するメインフローチャートである。
次に、図１７を参照しながら実施例３の携帯電話１のメインフローチャートの説明を行うが、実施例１と同様の処理には、同一のＳＴ番号を付し、詳細な説明を省略する。
【０１６２】
図１７のＳＴ１において、実施例１のＳＴ１と同様にナビゲーションソフトが起動されたか否かを判別し、ノー（Ｎ）の場合はＳＴ１を繰り返し、イエス（Ｙ）の場合はＳＴ２ではなく、ＳＴ３に移る。
ＳＴ３、ＳＴ４は実施例１のＳＴ３、ＳＴ４と同様の処理を実行する。
ＳＴ５′において、探索条件データと、表示画像データ送信要求情報及び解像度関連情報をサーバ７に対して送信する。そして、ＳＴ６に移る。
【０１６３】
ＳＴ６において、実施例１のＳＴ６と同様に探索条件データに対する応答である地図画像データ（ラスタ地図画像データ）を受信したか否かを判別する。ノー（Ｎ）の場合はＳＴ６を繰り返し、イエス（Ｙ）の場合はＳＴ１１に移る。
ＳＴ１１、ＳＴ１２において、実施例１と同様の処理を実行する。
【０１６４】
（サーバのフローチャートの説明）
図１８は実施例３の画像データ送受信システムのサーバが備えている地図データ配信用アプリケーションプログラムのメインフローチャートであり、実施例１の図７及び実施例２の図１４に対応する図である。
図１８に示すフローチャートはサーバ７の地図データ配信用アプリケーションプログラムの起動により開始される。
【０１６５】
図１８のＳＴ５１において、携帯電話１から送信された探索条件データ、表示画像データ送信要求情報及び解像度関連情報を受信したか否かを判別する。ノー（Ｎ）の場合はＳＴ５１を繰り返し、イエス（Ｙ）の場合はＳＴ５２に移る。
ＳＴ５２において、解像度関連情報としての水平方向のドット数Ｘの値が４００以上か否かを判別する。イエス（Ｙ）の場合はＳＴ５３に移り、ノー（Ｎ）の場合はＳＴ５４に移る。
ＳＴ５３において、携帯電話１の情報表示画面１１の解像度が高解像度（４００ドット以上）であるので、地図画像を作成する際に使用するシンボル画像データを高解像度用シンボル画像データに設定する。そしてＳＴ５７に移る。
【０１６６】
ＳＴ５４において、前記水平方向のドット数Ｘの値が２００以上であるか否かを判別する。イエス（Ｙ）の場合はＳＴ５５に移り、ノー（Ｎ）の場合はＳＴ５６に移る。
ＳＴ５５において、携帯電話１の情報表示画面１１の解像度が中解像度（２００ドット〜４００ドット）であるので、地図画像を作成する際に使用するシンボル画像データを中解像度用シンボル画像データに設定する。そしてＳＴ５７に移る。
ＳＴ３８において、携帯電話１の情報表示画面１１の解像度が低解像度（２００ドット未満）であるので、地図画像を作成する際に使用するシンボル画像データを低解像度用シンボル画像データに設定する。そしてＳＴ５７に移る。
【０１６７】
ＳＴ５７において、次の処理（１）、（２）を実行する。
（１）ＳＴ５３、５５、５６のいずれかで設定されたシンボル画像データを使用して、受信した探索条件に応じた地図画像（ラスタ地図画像）を作成する。
（２）作成した地図画像データを探索条件応答データとして、携帯電話１に送信する。
そして、ＳＴ５１に戻る。
【０１６８】
（実施例３の作用）
前記構成を備えた実施例３の画像データ送受信システムＳでは、携帯電話１の情報表示画面１１に表示される表示画像は、携帯電話１ではなく、サーバ７で作成される。このとき、携帯電話１の情報表示画面１１の解像度に応じたシンボル画像データが使用されて表示画像が作成される。この結果、携帯電話１の情報表示画面の解像度に応じて適切な大きさの表示画像を情報表示画面１１に表示することができる。
【０１６９】
したがって、解像度の高い情報表示画面１１において、地図画像（表示画像）が小さくなりすぎてユーザが見づらいという問題を解消できる。また、解像度の低い情報表示画面１１において、高解像度用のシンボル画像が表示されて、シンボル画像が大きすぎて地図画像が見づらくなるという問題の発生も防止できる。
また、実施例３の画像データ送受信システムＳでは、地図画像を送受信する際のデータ量が多くなるが、携帯電話１にシンボル画像データを記憶したり、更新しなくても済む。
【産業上の利用可能性】
【０１７０】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
例えば、実施例１〜実施例３を組み合わせることも可能である。即ち、ベクタ地図データから地図画像を作成可能な携帯電話と、ラスタ地図画像データしか表示できない携帯電話が混在している場合に、受信したデータに基づいて個別に対応することも可能である。同様に、シンボル画像データが更新されているか否かを判別する手段を有している携帯電話と、有していない携帯電話が混在している場合にも、個別に対応することが可能である。
【０１７１】
また、前記各実施例において、送受信されるシンボル画像データは、地図記号画像データに限定されず、例えば、アイコン（コンピュータに与えるコマンドを表示する記号や図形）の画像データであるアイコン画像データ等の情報表示画面１１に表示される表示画像の一部を形成する画像データとすることも可能である。
さらに、本発明の携帯端末は携帯電話に限定されず、ＰＤＡ等のユーザが携帯可能な携帯端末に適用可能である。
【０１７２】
また、前記各実施例において、シンボル画像データは、高解像度用、中解像度用、低解像度用の３種類であったが、高解像度用と低解像度用の２種類、あるいは解像度関連情報に対応して４種類以上のシンボル画像データを使用することも可能である。
さらに、本発明は、ナビゲーション（経路案内）ソフトウェアに限定されず、地図表示用ソフトウェアや、その他、シンボル画像データを使用して情報表示画面１１に表示する画像を作成するソフトウェアに適用可能である。
【０１７３】
また、前記実施例１、２において、携帯電話１に記憶されたシンボル画像データが最新であるか否かを判別して、最新でない場合にのみシンボル画像データの送受信を行ったが、最新であるか否かの判別を行わず、解像度に応じたシンボル画像データを送受信するように構成することも可能である。即ち、実施例１において、サーバ側画像データ識別情報の送受信を行わずにシンボル画像データ送信要求情報及び解像度関連情報を送信し、解像度に応じたシンボル画像データを受信することが可能である。また、実施例２において、シンボル画像データ送信要求情報を受信したサーバにおいて、最新であるか否かの判別を行わず、解像度に応じたシンボル画像データを送信するよう構成することが可能である。なお、この場合、データ最新告知情報の送受信が行われることはない。
【図面の簡単な説明】
【０１７４】
【図１】本発明の画像データ送受信システムの実施例１の説明図である。
【図２】前記図１に示す画像データ送受信システムの携帯端末の機能をブロック図（機能ブロック図）で示した図である。
【図３】実施例１の携帯電話の情報表示画面に表示される探索条件入力画像の一例である。
【図４】前記図１に示す画像データ送受信システムのサーバの機能をブロック図（機能ブロック図）で示した図である。
【図５】実施例１の画像データ送受信システムの携帯端末が備えている地図表示用アプリケーションプログラムのメインフローチャートである。
【図６】実施例１の携帯端末のシンボル画像データ送受信処理のフローチャートであり、前記図５のＳＴ２のサブルーチンのフローチャートである。
【図７】実施例１の画像データ送受信システムのサーバが備えている地図データ配信用アプリケーションプログラムのメインフローチャートである。
【図８】実施例１の携帯端末の情報表示画面に表示される地図画像の一例である。
【図９】実施例１のシンボル画像データの一例としての、信号機を示す画像の説明図であり、図９Ａは中解像度用シンボルデータの一例の信号機を示す画像の説明図、図９Ｂは低解像度用シンボルデータの一例の信号機を示す画像の説明図である。
【図１０】実施例１のシンボル画像データを情報表示画面で表示した場合の説明図であり、図１０Ａは低解像度の携帯端末で低解像度用シンボル画像データを表示した場合の説明図、図１０Ｂは中解像度の携帯端末で低解像度用シンボル画像データを表示した場合の説明図、図１０Ｃは中解像度の携帯端末で中解像度用シンボル画像を表示した場合の説明図である。
【図１１】実施例２の画像データ送受信システムの携帯端末の機能をブロック図（機能ブロック図）で示した図であり、実施例１の図２に対応する図である。
【図１２】実施例２の画像データ送受信システムのサーバの機能をブロック図（機能ブロック図）で示した図であり、実施例１の図４に対応する図である。
【図１３】実施例２の携帯端末のシンボル画像データ送受信処理のフローチャートであり、実施例１の図６に対応するサブルーチンのフローチャートである。
【図１４】実施例２の画像データ送受信システムのサーバが備えている地図データ配信用アプリケーションプログラムのメインフローチャートであり、実施例１の図７に対応する図である。
【図１５】実施例２の画像データ送受信システムの携帯端末の機能をブロック図（機能ブロック図）で示した図であり、実施例１の図２及び実施例２の図１１に対応する図である。
【図１６】実施例３の画像データ送受信システムのサーバの機能をブロック図（機能ブロック図）で示した図であり、実施例１の図４及び実施例２の図１２に対応する図である。
【図１７】実施例１の画像データ送受信システムの携帯端末が備えている地図表示用アプリケーションプログラムのメインフローチャートであり、実施例１の図５に対応するメインフローチャートである。
【図１８】実施例３の画像データ送受信システムのサーバが備えている地図データ配信用アプリケーションプログラムのメインフローチャートであり、実施例１の図７及び実施例２の図１４に対応する図である。
【符号の説明】
【０１７５】
１…携帯端末、
７…サーバ（地図データ配信用サーバ）、
１１…情報表示画面、
ＡＰ１，ＡＰ１′，ＡＰ１″，ＡＰ３，ＡＰ３′，ＡＰ３″…プログラム、
ＫＣ１…解像度関連情報記憶手段、
ＫＣ２…端末側シンボル画像データ記憶手段、
ＫＣ３…端末側画像データ識別情報記憶手段、
ＫＣ４…シンボル画像データ最新判別手段、
ＫＣ１０Ａ…識別情報送信要求情報送信手段、
ＫＣ１０Ｂ…シンボル画像データ送信要求情報送信手段、
ＫＣ１０Ｃ…探索条件データ送信手段（表示画像データ送信要求情報送信手段）、
ＫＣ１１Ａ…サーバ側画像データ識別情報受信手段、
ＫＣ１１Ｂ…シンボル画像データ受信手段、
ＫＣ１１Ｃ″…地図画像データ受信手段（表示画像データ受信手段）、
ＫＣ１１Ｄ…データ最新告知情報受信手段、
Ｓ…画像データ送受信システム、
ＳＣ１Ａ…サーバ側画像データ識別情報送信要求情報受信手段、
ＳＣ１Ｂ…シンボル画像データ送信要求情報受信手段、
ＳＣ１Ｃ…探索条件データ送信手段（表示画像データ送信要求情報受信手段）
ＳＣ２Ａ…サーバ側シンボル画像データ記憶手段、
ＳＣ２Ｂ…サーバ側画像データ識別情報記憶手段、
ＳＣ３…（シンボル画像データを判別する）端末解像度判別手段、
ＳＣ４″…探索条件応答地図画像作成手段（表示画像作成手段）、
ＳＣ５Ａ…サーバ側画像データ識別情報送信手段、
ＳＣ５Ｂ…シンボル画像データ送信手段、
ＳＣ５Ｄ…データ最新告知情報送信手段、
ＳＣ５Ｅ…地図画像データ送信手段（表示画像データ送信手段）、
ＳＣ６…シンボル画像データ最新判別手段。
【図１】
2005128801.tif 000003
【図２】
2005128801.tif 000004
【図３】
2005128801.tif 000005
【図４】
2005128801.tif 000006
【図５】
2005128801.tif 000007
【図６】
2005128801.tif 000008
【図７】
2005128801.tif 000009
【図８】
2005128801.tif 000010
【図９】
2005128801.tif 000011
【図１０】
2005128801.tif 000012
【図１１】
2005128801.tif 000013
【図１２】
2005128801.tif 000014
【図１３】
2005128801.tif 000015
【図１４】
2005128801.tif 000016
【図１５】
2005128801.tif 000017
【図１６】
2005128801.tif 000018
【図１７】
2005128801.tif 000019
【図１８】
2005128801.tif 000020